(57)【特許請求の範囲】
【請求項１】
異種ネットワーク（ＨｅｔＮｅｔ）において、適応上りリンク−下りリンク（ＵＬ−ＤＬ）時分割デュプレキシング（ＴＤＤ）サブフレーム構成の低干渉フレキシブルサブフレーム（ＦｌｅｘＳＦ）を生成する、トラフィックのオフロードの方法であって：
指定されたトラフィック負荷条件について、拡張ノードＢ（ｅＮＢ）において、トラフィック負荷メトリックを監視するステップ；及び
前記指定されたトラフィック負荷条件が存在する場合に、マクロセルからマクロユーザ装置（ＵＥ）に送信されるパケットに関してスケジュールされるトラフィックを、小型セルのＵＬ−ＤＬサブフレーム構成のＦｌｅｘＳＦに対してオフロードするステップであって、前記ｅＮＢは、前記マクロセルのマクロｅＮＢ又は前記小型セルの小型ｅＮＢである、ステップ；
を含み、
前記小型セルの前記ＵＬ−ＤＬサブフレーム構成の前記ＦｌｅｘＳＦと同時にスケジュールされる前記マクロセルのＤＬサブフレームのデータ送信をミュートするステップをさらに含み、前記ミュートされたデータ送信には、基準サブフレーム又は事前に設定されたほぼ空白のサブフレーム（ＡＢＳ）が使用される、
方法。
【請求項２】
前記指定されたトラフィック負荷条件は、前記マクロセル又は小型セルの下りリンク（ＤＬ）又は上りリンク（ＵＬ）の現在のバッファ状態、サブフレームにおける前記小型セル又はマクロセルのＤＬ又はＵＬのセル周波数効率、ＵＬ−ＤＬの複数のＴＤＤ構成を適応させる小型セルの機能、前記マクロセルと前記小型セルとの間のセル間パスゲイン、追加のＵＥを受け入れる小型セル機能、及びそれらの組合せからなるグループから選択された制御情報から決定される、
請求項１に記載の方法。
【請求項３】
前記ＦｌｅｘＳＦは、サブフレーム３、４、７、８、９、及び反対の送信方向を許容するサブフレーム構成からなるグループから選択され；かつ前記小型ｅＮＢは、低電力ノード（ＬＰＮ）、ミクロｅＮＢ、ピコｅＮＢ、フェムト−ｅＮＢ、ホームｅＮＢ（ＨｅＮＢ）、遠隔無線ヘッド（ＲＲＨ）、遠隔無線装置（ＲＲＥ）、又は遠隔無線ユニット（ＲＲＵ）を含む、
請求項１に記載の方法。
【請求項４】
前記マクロセルの前記トラフィックのオフロードは、さらに、前記小型セルにより追加の下りリンク（ＤＬ）サブフレームが要求された場合に、上りリンク（ＵＬ）のトラフィックをオフロードすることを含む、
請求項１に記載の方法。
【請求項５】
前記マクロセルの前記トラフィックのオフロードは、さらに、前記小型セルにより追加の上りリンク（ＵＬ）のサブフレームが要求された場合に、下りリンク（ＤＬ）のトラフィックをオフロードすることを含む、
請求項１に記載の方法。
【請求項６】
前記小型セルの前記ＵＬ−ＤＬサブフレーム構成の前記ＦｌｅｘＳＦを、減少したＵＬ−ＤＬ適応セットの中の前記マクロセルの前記ＵＬ−ＤＬサブフレーム構成に対して適応させるステップ；をさらに含み、前記小型セルの前記ＦｌｅｘＳＦは、前記マクロセルの上りリンク（ＵＬ）のサブフレームと実質的に同様の時間にスケジュールされ、かつ前記ＦｌｅｘＳＦは、前記減少したＵＬ−ＤＬ適応セットに基づき、ＤＬサブフレーム又はＵＬサブフレームとして変化するように構成される、
請求項１に記載の方法。
【請求項７】
１つの小型セルの上りリンク（ＵＬ）サブフレームから、他の小型セルの下りリンク（ＤＬ）サブフレームの間に、小型セル間のノード対ノードチャネル干渉を測定するステップ；
少なくとも他の小型セルから前記小型セルにおけるノード対ノードチャネル干渉測定値を収集するステップ；
小型セルからの前記収集されるノード対ノードチャネル干渉測定値に基づき、干渉管理（ＩＭ）クラスタを決定するステップであって、指定される閾値より上の干渉を互いに生成する前記小型セルは、同じＩＭクラスタの中に共にグループ化される、ステップ；及び
同じＵＬ−ＤＬサブフレーム構成で、各ＩＭクラスタの中の前記小型セルを構成するステップ；
をさらに含む、請求項１に記載の方法。
【請求項８】
前記ＤＬサブフレームとして構成される前記ＦｌｅｘＳＦの前記小型ｅＮＢにおける送信電力を低減するステップ；
をさらに含む、請求項１に記載の方法。
【請求項９】
前記マクロセルの前記トラフィックをオフロードする前に、
前記マクロｅＮＢにおいて、送信されるデータの量又は前記パケットのサービス品質（ＱｏＳ）パラメータを含むマクロＵＥ（ＭＵＥ）のトラフィック要件を受信するステップ；
隣接する小型セルに対するチャネル品質測定をＭＵＥに要求するステップ；
前記隣接する小型セルに対するチャネル品質測定値を前記マクロｅＮＢにおいて、前記ＭＵＥから受信するステップ；及び
前記ＭＵＥトラフィック要件及び前記隣接する小型セルについての前記ＭＵＥからの前記チャネル品質測定値のうちの１つ以上に基づいて、前記マクロセルの前記トラフィックを決定するステップ；
をさらに含む、請求項１に記載の方法。
【請求項１０】
請求項１に記載の方法を実行するために構成されるコンピュータプログラムコード手段を含む、コンピュータプログラム。
【請求項１１】
小型セルにおけるトラフィック適応を可能とするために、異種ネットワーク（ＨｅｔＮｅｔ）において、上りリンク−下りリンク（ＵＬ−ＤＬ）時分割デュプレキシング（ＴＤＤ）サブフレーム構成を選択するように構成されるマクロｅＮＢのノード装置であって、該ノード装置は、
処理モジュールであって、指定されたトラフィック負荷条件について、前記ノード装置において、トラフィック負荷メトリックを監視し、前記指定されたトラフィック負荷条件が存在する場合に、前記小型セルのＵＬ−ＤＬサブフレーム構成のフレキシブルサブフレーム（ＦｌｅｘＳＦ）にオフロードする前記ノード装置からのトラフィックであって、マクロユーザ装置（ＭＵＥ）のパケットに関してスケジュールされる、トラフィック、を決定する、処理モジュール；及び
前記ＭＵＥと通信し、かつ前記オフロードされたトラフィックを前記小型セルの小型ノードに通信する、送受信モジュール；
を備え、
前記小型セルの前記ＵＬ−ＤＬサブフレーム構成の前記ＦｌｅｘＳＦと同時にスケジュールされる前記マクロｅＮＢのＤＬサブフレームのデータ送信はミュートされ、且つ前記ミュートされたデータ送信には、基準サブフレーム又は事前に設定されたほぼ空白のサブフレーム（ＡＢＳ）が使用される、
ノード装置。
【請求項１２】
前記処理モジュールは、さらに、前記異種ネットワークの中の下りリンク（ＤＬ）サブフレームの数を減らすことが決定された場合に、上りリンク（ＵＬ）のトラフィックを前記小型ノードにオフロードするように動作可能である、又は前記処理モジュールは、さらに、前記異種ネットワークの中のＵＬサブフレームの数を増やすことが決定された場合に、ＤＬトラフィックを前記小型ノードにオフロードするように動作可能である、
請求項１１に記載のノード装置。
【請求項１３】
前記ＦｌｅｘＳＦは、サブフレーム３、４、７、８、９、及び反対の送信方向を許容するサブフレーム構成からなるグループから選択される、
請求項１１に記載のノード装置。
【請求項１４】
前記送受信モジュールは、無線チャネル、有線接続、又は光ファイバ接続を介する、Ｘ２シグナリング又はバックホールリンクシグナリングを介して、前記小型ノードと通信するようにさらに構成され、かつ前記ノード装置は、基地局（ＢＳ）、ノードＢ（ＮＢ）、拡張ノードＢ（ｅＮＢ）、ベースバンドユニット（ＢＢＵ）、遠隔無線ヘッド（ＲＲＨ）、遠隔無線装置（ＲＲＥ）、遠隔無線ユニット（ＲＲＵ）、中央処理モジュール（ＣＰＭ）、及びそれらの組合せを含むグループから選択され、かつ小型ノードは、低電力ノード（ＬＰＮ）、ミクロｅＮＢ、ピコｅＮＢ、フェムト−ｅＮＢ、ホームｅＮＢ（ＨｅＮＢ）、遠隔無線ヘッド（ＲＲＨ）、遠隔無線装置（ＲＲＥ）、遠隔無線ユニット（ＲＲＵ）、及びそれらの組合せを含むグループから選択される、
請求項１１に記載のノード装置。
【請求項１５】
前記送受信モジュールは、ＭＵＥトラフィック要件を受信し、隣接する小型セルのチャネル品質測定を前記ＭＵＥに要求し、かつ隣接する小型セルのチャネル品質測定値を前記ＭＵＥから受信するようにさらに構成され、かつ
前記処理モジュールは、前記隣接する小型セルのチャネル品質測定値及び前記ＭＵＥトラフィック要件の１つ以上に基づき、オフロードする前記トラフィックを決定するようにさらに構成され、前記ＭＵＥトラフィック要件は、送信されるデータの量又は前記ＭＵＥパケットに対するサービス品質（ＱｏＳ）パラメータを含む、
請求項１１に記載のノード装置。
【請求項１６】
前記処理モジュールは、半静的メカニズム又は動的シグナリングを使用して、前記トラフィックを前記小型ノードにオフロードするように構成され、
前記半静的メカニズムは、大きな基準信号受信電力（ＲＳＲＰ）バイアスを伴う拡張セル間干渉協調（ｅＩＣＩＣ）、過負荷表示（ＯＩ）、又は高干渉表示（ＨＩＩ）を使用し、かつ
前記動的シグナリングは、前記トラフィックのオフロードを示す物理的又は上位レイヤのシグナリングを含む、
請求項１１に記載のノード装置。
【請求項１７】
異種ネットワーク（ＨｅｔＮｅｔ）において、上りリンク−下りリンク（ＵＬ−ＤＬ）時分割デュプレキシング（ＴＤＤ）サブフレーム構成を適応させるように構成される小型拡張ノードＢ（ｅＮＢ）のノード装置であって、
マクロｅＮＢからマクロＵＬ−ＤＬ構成を受信する送受信モジュール；及び
前記ＵＬ−ＤＬ構成に基づき、ピコＵＬ−ＤＬ適応セットを生成する処理モジュールであって、前記ピコＵＬ−ＤＬ適応セットは、利用可能なＵＬ−ＤＬ構成とフレキシブルサブフレーム（ＦｌｅｘＳＦ）のサブセットを含み、前記ＦｌｅｘＳＦは、前記ピコＵＬ−ＤＬ適応セットに基づき、ＤＬサブフレーム又はＵＬサブフレームの１つとして変化するように構成される、処理モジュール；
を備え、
前記送受信モジュールは、前記小型拡張ノードＢ（ｅＮＢ）の前記ノード装置のＵＬ−ＤＬサブフレーム構成のフレキシブルサブフレーム（ＦｌｅｘＳＦ）にオフロードする前記マクロｅＮＢからのトラフィックであって、マクロユーザ装置（ＭＵＥ）のパケットに関してスケジュールされる、トラフィック、を受信し、
前記小型拡張ノードＢ（ｅＮＢ）の前記ノード装置の前記ＵＬ−ＤＬサブフレーム構成の前記ＦｌｅｘＳＦと同時にスケジュールされる前記マクロｅＮＢのＤＬサブフレームのデータ送信はミュートされ、且つ前記ミュートされたデータ送信には、基準サブフレーム又は事前に設定されたほぼ空白のサブフレーム（ＡＢＳ）が使用される、
ノード装置。
【請求項１８】
送受信モジュールは、前記マクロｅＮＢからの前記トラフィックがオフロードされる場合に、前記ＭＵＥと通信するようにさらに構成される、
請求項１７に記載のノード装置。
【請求項１９】
前記送受信モジュールは、前記異種ネットワーク内のＤＬパケットのスループットを上げるために、前記ＭＵＥからのＵＬトラフィックを受信するようにさらに動作可能であるか、又は前記送受信モジュールは、前記異種ネットワーク内のＵＬパケットのスループットを上げるために、ＤＬトラフィックを前記ＭＵＥに送信するようにさらに動作可能である、
請求項１７に記載のノード装置。
【発明の詳細な説明】
【技術分野】
【０００１】
本開示は、無線移動通信に関連する。
【背景技術】
【０００２】
無線移動通信技術は、ノード（例えば、送信局又は送受信機ノード）と無線装置（例えば、移動機）との間でデータを伝送するために、各種規格及びプロトコルを使用する。いくつかの無線装置は、下りリンク（ＤＬ）の伝送において直交周波数分割多重接続（ＯＦＤＭ）を使用し、かつ上りリンク（ＵＬ）の伝送においてシングルキャリア周波数分割多重アクセス（ＳＣ−ＦＤＭＡ）を使用して、通信する。信号伝送のために直交周波数分割多重（ＯＦＤＭ）を使用する複数の規格及びプロトコルは、第３世代パートナーシッププロジェクト（３ＧＰＰ）ロングタームエボルーション（ＬＴＥ）；業界団体により、一般に、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として知られている、米国電気電子学会（ＩＥＥＥ）８０２．１６規格（例えば８０２．１６ｅ、８０２．１６ｍ）；及び業界団体により、一般に、ＷｉＦｉとして知られている、ＩＥＥＥ８０２．１１規格を含む。
【０００３】
３ＧＰＰ無線アクセスネットワーク（ＲＡＮ）ＬＴＥシステムにおいて、ノードは、複数のＥｖｏｌｖｅｄ  Ｕｎｉｖｅｒｓａｌ  Ｔｅｒｒｅｓｔｒｉａｌ  Ｒａｄｉｏ  Ａｃｃｅｓ  Ｎｅｔｗｏｒｋ（Ｅ−ＵＴＲＡＮ）ノードＢ（一般に、ｅｖｏｌｖｅｄ  Ｎｏｄｅ  Ｂ、拡張ノードＢ、ｅＮｏｄｅＢ、又はｅＮＢとも表示される）と、ユーザ装置（ＵＥ）として知られている無線装置と通信する複数の無線ネットワーク制御装置（ＲＮＣ）との組み合わせであってもよい。下りリンク（ＤＬ）の伝送は、ノード（例えば、ｅＮｏｄｅＢ）から無線装置（例えば、ＵＥ）への通信であってもよく、そして上りリンク（ＵＬ）の伝送は、無線装置からノードへの通信であってもよい。
【０００４】
複数の同種ネットワークにおいて、マクロノードとも呼ばれるノードは、セルの中の複数の無線装置に対して基本的なワイヤレスカバレッジを提供することができる。セルは、複数の無線装置がマクロノードと通信するために動作可能なエリアであってもよい。複数の無線装置の増加する使用及び機能に起因する、複数のマクロノードに対する増加するトラフィック負荷を処理するために、複数の異種ネットワーク（ＨｅｔＮｅｔｓ）を使用することができる。ＨｅｔＮｅｔｓは、マクロノードのカバレッジエリア（セル）内で、あまり計画されないで、或いはまったく調整されないで展開され得る複数の低電力ノード（小型ｅＮＢ、マイクロ−ｅＮＢ、ピコ−ｅＮＢ、フェムトｅＮＢ、又はＨｏｍｅ  ｅＮＢ（ＨｅＮＢ））の複数の層が積層される、計画された複数の高出力のマクロノード（又はマクロｅＮＢ）の層を含んでもよい。低出力のノード（ＬＰＮ）は、一般に、「低出力ノード」、小型ノード、又は小型セルと言及され得る。
【０００５】
マクロノードは、基本的なカバレッジに対して使用することができる。複数の低電力ノードは、複数のカバレッジホールを塞ぐため、複数のホットゾーンの中又はマクロノードのカバレッジエリアの間の複数の境界における容量を改善するため、及び信号伝送を妨害する建造物における屋内カバレッジを改善するために使用することができる。ＨｅｔＮｅｔの中の複数のマクロノード及び複数の低電力ノード等の、ノード間の干渉を低減するためのリソース調整に関して、セル間干渉制御（ＩＣＩＣ）又は拡張ＩＣＩＣ（ｅＩＣＩＣ）を使用してもよい。
【０００６】
同種ネットワーク又はＨｅｔＮｅｔは、ＤＬ又はＵＬ伝送に関して、時分割デュプレキシング（ＴＤＤ）又は周波数分割ディプレキシング（ＦＤＤ）を使用することができる。時分割デュプレキシング（ＴＤＤ）は、下りリンクの信号と上りリンクの信号とを分離するための時分割多重（ＴＤＭ）の応用である。ＴＤＤにおいて、下りリンクの信号と上りリンクの信号は、同じキャリア周波数で送信されてもよく、この場合、下りリンクの信号及び上りリンクの信号が互いに干渉を生じないようにするために、下りリンクの信号は上りリンクの信号とは異なる時間間隔を使用する。ＴＤＭは、上りリンク又は下りリンク等の２つ以上のビットストリーム又は信号が、１つの通信チャネルの複数のサブチャネルといったように、見かけ上は、同時に送信されるが、物理的には異なるリソースにより送信される、デジタル多重方式の種別である。周波数分割デュプレキシング（ＦＤＤ）において、異なる複数の周波数キャリアを用いて、上りリンクの送信と下りリンクの送信を行うことができる。ＦＤＤにおいて、下りリンクの信号は、上りリンクの信号とは異なる周波数キャリアを使用するため、干渉を回避することができる。
【発明の概要】
【発明が解決しようとする課題】
【０００７】
ＤＬ−ＵＬ干渉を解決又は緩和する。
【課題を解決するための手段】
【０００８】
異種ネットワーク（ＨｅｔＮｅｔ）において、適応上りリンク−下りリンク（ＵＬ−ＤＬ）時分割デュプレキシング（ＴＤＤ）サブフレーム構成の低干渉フレキシブルサブフレーム（ＦｌｅｘＳＦ）を生成する、トラフィックのオフロードの方法であって：指定されたトラフィック負荷条件について、拡張ノードＢ（ｅＮＢ）において、トラフィック負荷メトリックを監視するステップ；及び前記指定されたトラフィック負荷条件が存在する場合に、マクロセルから小型セルのＵＬ−ＤＬサブフレーム構成のＦｌｅｘＳＦへのマクロユーザ装置（ＵＥ）のパケットに関してスケジュールされるトラフィックをオフロードするステップであって、前記ｅＮＢは、前記マクロセルのマクロｅＮＢ又は前記小型セルの小型ｅＮＢである、ステップ；を含む、方法。
【０００９】
小型セルにおけるトラフィック適応を可能とするために、異種ネットワーク（ＨｅｔＮｅｔ）において、上りリンク−下りリンク（ＵＬ−ＤＬ）時分割デュプレキシング（ＴＤＤ）サブフレーム構成を選択するように構成されるマクロノードのノード装置であって、小型ノードにオフロードする前記マクロノードのトラフィックを決定し、かつ上りリンクのサブフレーム又は下りリンクのサブフレームの数を減らすために、マクロＵＬ−ＤＬ構成を変更するように構成される処理モジュールであって、前記オフロードされるトラフィックは、マクロユーザ装置（ＭＵＥ）パケットの送信を含む、処理モジュール；及びＭＵＥと通信し、前記変更されたマクロＵＬ−ＤＬ構成を前記小型ノードに通信し、かつオフロードされたトラフィックを前記小型ノードに通信する、送受信モジュール；を備える、ノード装置。
【００１０】
異種ネットワーク（ＨｅｔＮｅｔ）において、上りリンク−下りリンク（ＵＬ−ＤＬ）時分割デュプレキシング（ＴＤＤ）サブフレーム構成を適応させるように構成される小型拡張ノードＢ（ｅＮＢ）のノード装置であって、マクロｅＮＢからマクロＵＬ−ＤＬ構成を受信する送受信モジュール；及び前記ＵＬ−ＤＬ構成に基づき、ピコＵＬ−ＤＬ適応セットを生成する処理モジュールであって、前記ピコＵＬ−ＤＬ適応セットは、利用可能なＵＬ−ＤＬ構成とフレキシブルサブフレーム（ＦｌｅｘＳＦ）のサブセットを含み、前記ＦｌｅｘＳＦは、前記ピコＵＬ−ＤＬ適応セットに基づき、下りリンク（ＤＬ）のサブフレーム又はＵＬサブフレームの１つとして変化するように構成される、処理モジュール；を備える、ノード装置。
【図面の簡単な説明】
【００１１】
本開示の特徴及び利点は、本開示の特徴を一例として示す添付図面とともに理解される、以下の詳細な説明から明らかになるであろう。
【００１２】
【図１】一例に従う、マクロセルの中の異種ネットワーク（ＨｅｔＮｅｔ）とマクロ拡張ノードＢ（ｅＮＢ）及び小型セルの複数の低電力ノード（ＬＰＮ）を示す図である。
【図２】一例に従う、各種マクロノード及びピコノードサブフレーム構成を用いてピコノードに在圏するユーザ装置（ＰＵＥ）に対する、上りリンク（ＵＬ）の信号対雑音干渉電力比（ＳＩＮＲ）の分析を示す図である。
【図３】一例に従う、各種ピコノードのサブフレーム構成を用いてマクロノードに在圏するユーザ装置（ＭＵＥ）に対する、上りリンク（ＵＬ）の信号対雑音干渉電力比（ＳＩＮＲ）の分析を示す図である。
【図４】一例に従う、各種マクロ対ピコ・パスゲイン閾値及びピコ対ピコ・パスゲイン閾値に関する、マクロノードに在圏するユーザ装置（ＭＵＥ）についての、上りリンク（ＵＬ）の信号対雑音干渉電力比（ＳＩＮＲ）の分析を示す図である。
【図５】一例に従う、各種マクロ対ピコ・グループ化閾値に対する、マクロノードと同期して動作する複数のピコセルの割合を示す図である。
【図６】一例に従う、小型セルに対する上りリンク−下りリンク（ＵＬ−ＤＬ）適応セットを示す図である。
【図７】一例に従う、複数のピコセルおける下りリンク（ＤＬ）を優遇する複数の構成の使用を容易にするための、上りリンク（ＵＬ）のトラフィックのオフローディングを示す図である。
【図８】一例に従う、複数のピコセルにおける上りリンク（ＵＬ）を優遇する複数の構成の使用を容易にするための、下りリンク（ＤＬ）のトラフィックのオフローディング及びＤＬサブフレームミューティングを示す図である。
【図９】一例に従う、複数のピコセルにおける動的ＵＬ−ＤＬ再構成のための、ＤＬ及びＵＬトラフィックオフローディング及び下りリンク（ＤＬ）の複数のマクロサブフレームのミューティングを示す図である。
【図１０】一例に従う、複数のマクロセルから複数の小型セルへのトラフィックオフローディング及び複数のピコセルの間の干渉管理とトラフィックアダプテーション（ＩＭＴＡ）を使用した、ファイル転送プロトコル（ＦＴＰ）パケット到達率及び下りリンク（ＤＬ）のパケットスループットの比較を示す図である。
【図１１】一例に従う、複数のマクロセルから複数の小型セルへのトラフィックオフローディング及び複数のピコセルの間の干渉管理とトラフィックアダプテーション（ＩＭＴＡ）を使用したファイル転送プロトコル（ＦＴＰ）パケット到達率及び上りリンク（ＵＬ）パケットスループット比較を示す図である。
【図１２】一例に従う、複数のマクロセルから複数の小型セルへのマクロユーザ装置（ＭＵＥ）のトラフィックオフローディングの機能ブロックを示す図である。
【図１３】一例に従う、異種ネットワーク（ＨｅｔＮｅｔ）における動的上りリンク−下りリンク（ＵＬ−ＤＬ）時分割デュプレキシング（ＴＤＤ）サブフレーム構成の低干渉フレキシブルサブフレーム（ＦｌｅｘＳＦ）を生成するためのトラフィックオフローディングの方法のフローチャートを示す図である。
【図１４】一例に従う、マクロノード、低電力ノード（ＬＰＮ）、及びユーザ装置のブロック図を示す図である。
【図１５】一例に従う、無線装置（例えばユーザ装置（ＵＥ））を示す図である。
【発明を実施するための形態】
【００１３】
本発明が開示及び説明される前に、本発明は、本明細書において開示される特定の構造、処理ステップ、又は物質には限定されず、関連分野の当業者により認識されるように、それらの均等物に拡張される、ということが理解されるべきである。また、本明細書で用いられる用語は、単に特定の例を説明する目的のためにのみ使用され、そして限定することを意図するものではないことを理解すべきである。異なる図面における同一の参照番号は、同じ要素を表す。フローチャート及び処理において与えられる番号は、ステップ及び処理の説明における明確性のために与えられており、そして必ずしも特定の順番又はシーケンスを示すものではない。
【００１４】
以下、技術の複数の実施例についての最初の概要が与えられ、そしてその後、技術の特定の複数の実施例が詳細に説明される。この最初の要約は、読者がより速く技術を理解することを支援することを目的としており、技術の主要な特徴又は必須の特徴を特定することを意図するものでもなければ、特許請求される内容の範囲を限定することを意図するものでもない。
【００１５】
図１は、マクロセルの中の異種ネットワーク（ＨｅｔＮｅｔ）とマクロノード３１０（例えば、マクロ拡張ノードＢ（ｅＮＢ））、及び複数の小型セルそれぞれにおける複数の低電力ノード（ＬＰＮ）３２０、３２２、３２４、及び３２６（又は複数の小型ｅＮＢ）を示している。本明細書で使用される場合、セルは、ノード又はノードのカバレッジエリアのことを言及し得る。低電力ノード（ＬＰＮ）は、小型ノードのことを言及してもよく、小型ノードは、小型ｅＮＢ、マイクロｅＮＢ、ピコノード、ピコｅＮＢ、フェムトｅＮＢ、ホームｅＮＢ（ＨｅＮＢ）、リモート無線ヘッド（ＲＲＨ）、遠隔無線装置（ＲＲＥ）、又は遠隔無線ユニット（ＲＲＵ）を含み得る。本明細書で使用される場合、「小型ノード」という用語は、「ピコノード」（又はピコｅＮＢ）と区別しないで用いられてもよく、そして、マクロノードとＬＰＮ又は小型ノードとの間、及びマクロセルと小型セルとの間を区別することを支援するために、複数の例において、「小型セル」という用語は、「ピコセル」という用語と区別しないで用いられてもよい。マクロノードは、Ｘ２インターフェース又は光ファイバ接続を使用して、バックホールリンク３１６を介して、各ＬＰＮに対して接続され得る。
【００１６】
ＨｅｔＮｅｔは、マクロセル３５０をカバーするために、例えば、約５ワット（Ｗ）から４０Ｗといった、典型的には高い電力レベルで送信することができる、マクロノード３１０を含んでもよい。ＨｅｔＮｅｔは、約１００ミリワット（ｍＷ）から２Ｗなどといった、実質的に低い電力レベルで送信することができる低電力ノード（ＬＰＮ）３２０、３２２、３２４、及び３２６と重ね合わされてもよい。一つの例において、マクロノードで利用可能な送信電力は、低電力ノードで利用可能な送信電力の１０倍以上であってもよい。ＬＰＮは、無線トラフィック負荷の高いエリア又は能動的に送信する無線装置（例えば、ユーザ装置（ＵＥ））の量が多いエリアである、ホットスポット又はホットゾーンにおいて使用することができる。ＬＰＮは、マイクロセル、ピコセル、フェムトセル、及び／又はホームネットワークにおいて使用されてもよい。
【００１７】
図１の例において、無線装置（例えば、ＵＥ）３２０Ａ−Ｅ、３３０Ａ−Ｂ、３３２Ａ−Ｂ、３３４、及び３３６は、マクロノード３１０又はＬＰＮ３２０、３２２、３２４、及び３２６の１つによるサービスの提供を受けることができる。複数の無線装置は、ネットワークの中の複数のセル（例えば、複数のノード）に関連して説明され得る。例えば、ＨｅｔＮｅｔは、マクロセル及び４つの小型セルを含んでもよい。マクロセルのカバレッジエリア３５０の中で、マクロノード３１０により主にサービスを受ける複数の無線装置は、マクロＵＥ（ＭＵＥ）３２０Ａ−Ｅと言及されてもよい。小型セルのカバレッジエリア３６０、３６２、３６４、及び３６６（例えば、ピコセル）の中で、小型ノード３２０、３２２、３２４、及び３２６（例えば、ＬＰＮ又はピコノード）により主にサービスを受ける複数の無線装置は、ピコＵＥ（ＰＵＥ）３３０Ａ−Ｂ、３３２Ａ−Ｂ、３３４、及び３３６と言及されてもよい。
【００１８】
ＨｅｔＮｅｔの展開は、従来の同種ネットワークと比較して、セルラ方式のカバレッジ及び容量を増大する効率的な手段を提供すると認識されており、そして、他の可能のアーキテクチャの複数の組合せの間における、異なる複数の無線アクセス技術、異なる複数の送受信技術、及び基地局（ＢＳ）の異なる複数の送信電力の共存を伴ってもよい。時分割デュプレックス（ＴＤＤ）システム及びネットワークに関して、異なる複数のセルの中の複数のトラフィック条件に応じた適応的な上りリンク−下りリンク（ＵＬ−ＤＬ）サブフレーム構成を可能とすることにより、システム性能を大幅に向上させることができる。従来のＬＴＥ  ＴＤＤは、半静的に構成される７つの異なる上りリンク−下りリンクサブフレーム構成を提供することにより、複数の非対象ＵＬ−ＤＬ割り当てをサポートすることができる。表１は、従来のＬＴＥにおいて使用される７つのＵＬ−ＤＬ構成を示す。ここで、「Ｄ」は、ダウンリンク（ＤＬ）のサブフレームを表し、「Ｓ」は特殊サブフレームを表し、そして「Ｕ」は、上りリンク（ＵＬ）のサブフレームを表す。特殊サブフレームは、送信方向に対して、下りリンクのサブフレームと同様に動作することができる。
【表１】
0005976926.tif 000002
【００１９】
表１に示される通り、ＵＬ−ＤＬ構成０は、サブフレーム２、３、４、７、８、及び９において、６つの上りリンクのサブフレームを含んでもよく、かつサブフレーム０、１、５、及び６において、４つの下りリンク又は特殊サブフレームを含んでもよい。そして、ＵＬ−ＤＬ構成５は、サブフレーム２において１つの上りリンクのサブフレームを含んでもよく、かつサブフレーム０、１、３、４、５、６、７、８、及び９において、９つの下りリンク又は特殊サブフレームを含んでもよい。ＵＬ−ＤＬ構成０は、上りリンクを優遇するＵＬ−ＤＬ構成であると見なすことができ、そしてＵＬ−ＤＬ構成５は、下りリンクを優遇するＵＬ−ＤＬ構成であると見なすことができる。拡張型のＵＬ−ＤＬ構成は、サブフレーム０及び５がＤＬサブフレームであり、サブフレーム１が特殊サブフレームであり、又はサブフレーム２がＵＬサブフレームであるという限定を行わなくてもよい。拡張型のＵＬ−ＤＬ構成のいくつかにおいて、各サブフレームは反対の送信方向を許容することができ、従ってサブフレーム０、１、及び５を、ＤＬ、ＵＬ又は特殊サブフレームとすることができる。
【００２０】
一例において、ネットワークの複数のセル（例えば、マクロセルと複数の小型セル）は、他の複数のセルとの干渉を回避するために、同期して複数のＵＬ−ＤＬ構成を変更することができる。しかしながら、そのような要件は、ネットワークの異なる複数のセルにおけるトラフィック管理機能に制約を課すことになり得る。表１に示されるように、レガシーＴＤＤ  ＵＬ−ＤＬ構成の既存のセットは、４０％から９０％までの間の範囲においてＤＬサブフレームの割り当てを提供することができる。レガシーＬＴＥでは、無線フレーム内のＵＬ及びＤＬサブフレーム割り当ては、システム情報の報知シグナリングにより再構成され得る。従って、一例において、一度設定されたＵＬ−ＤＬ割り当ては、半静的に変動すると想定されてもよい。所定の又は半静的に設定された複数のＵＬ−ＤＬ構成は、瞬間的なトラフィック状況と合わない可能性があり、特に、大量のデータをダウンロード又はアップロードする少数のユーザ（例えば、ＵＥ）の存在するセルにおいては、非効率なリソース使用率に帰着する。適応的な複数のＵＬ−ＤＬ構成は、セルに依存するトラフィックの非対称性に対処し、かつ瞬間的なトラフィック状況に合わせるために使用することができる。異なる複数のセルの中の異なる複数のＵＬ−ＤＬ構成を有するこのようなＴＤＤ  ＬＴＥ展開において、ＢＳ対ＢＳ干渉及びＵＥ対ＵＥ干渉を含む新しい種別の干渉が生成され得る。ネットワークの機能を損なう可能性のある種別の干渉は、セル間のＤＬ→ＵＬ（ＢＳ対ＢＳ）干渉である可能性があり、これは、異なる複数のセルにおける複数のＵＬ−ＤＬ構成の適応性からの恩恵を大幅に減少させる場合がある。
【００２１】
マクロセル間（同種ネットワーク内）又はマクロセルと複数の小型セルとの間（異種ネットワーク内）の強いレベルのＢＳ−ＢＳ（ＵＬ−ＤＬ）干渉は、ＵＬ−ＤＬ構成のダイナミック適応の実行を困難にする可能性がある。一例において、ＢＳ−ＢＳ干渉の問題を解決するために、ＬＴＥ−ＴＤＤネットワークは、複数のマクロセルの各サブフレームの送信の方向を、他の複数のセルの複数のサブフレームと揃えることができ、これにより、複数のセルは互いに同期して動作できるようになり、効果的にＤＬ−ＵＬセル間干渉を回避することができる。
【００２２】
他の例において、追加の干渉に対する補償を行った後においてであっても、低電力ノードにおける複数のＵＬ−ＤＬ構成の適応的な変更は、複数のＬＰＮユーザに対するパケットスループットの大幅な増加を与えることができる。マクロノード及び低電力ノード（例えば、ピコノード又はフェムトノード）が隣接するキャリア周波数で動作する場合、複数のＵＬ−ＤＬ構成の動的な調整は、単一のオペレータのマクロ−ピコ及びマクロ−フェムト展開に適している可能性がある。また、複数のＵＬ−ＤＬ構成の動的な調整は、マクロノード及び複数のＬＰＮが同一チャネルで動作し、かつ複数のＬＰＮが、瞬間的なトラフィックの状況に対して、複数のＵＬ−ＤＬ構成を調整する複数のシナリオにおいて適している可能性がある。ピコステーションにおける複数のＵＬ−ＤＬ構成の動的な適応を伴う、マクロ−ピコ同一チャネルシナリオにおける技術的な課題は、マクロ−ピコ・リンク及びピコ−ピコ・リンクにおけるＤＬ−ＵＬ干渉を含み得る。本明細書において説明される技術は、ＤＬ−ＵＬ干渉を解決又は緩和することが可能であり、かつ複数のピコ局（例えば、ピコノード）における複数のＵＬ−ＤＬ構成の動的な適応を伴うマクロ−ピコ同一チャネルシナリオに対する効果的な適用を可能とする。
【００２３】
図２及び３は、拡張された干渉管理及びトラフィックアダプテーション（ｅＩＭＴＡ）ジオメトリ・信号対雑音干渉電力比（ＳＩＮＲ）評価方法を使用した、複数のピコＵＥ（ＰＵＥ）（図２中）のＵＬの性能及び複数のマクロＵＥ（ＭＵＥ）に対する、ＤＬセル間干渉の影響のシステムレベルの分析を示す。図２は、複数のピコＵＥに対する、ＵＬのＳＩＮＲ８００の複数のシミュレーション結果を示し、そして図３は、複数のマクロＵＥに対する、ＵＬのＳＩＮＲ８０６の複数のシミュレーション結果を示す。ｘ軸は、デシベル（ｄＢ）で測定されたＳＩＮＲ８０２を表し、かつｙ軸は、累積分布関数（ＣＤＦ）８０４を表す。確率論や統計におけるＣＤＦ（又は分布関数）は、所定の確率分布を持つ実数値の確率変数Ｘが、ｘ以下の値において見出される確率を表す。
【００２４】
図２において、複数のシミュレーション結果は、マクロノード及び複数のピコノードの全てがアクティブ（すなわち、最大限のシステム負荷）である、８１０及び８１２の２つの場合に対する、ＰＵＥについてのＵＬのＳＩＮＲ８００（干渉の測定）を示す。ここで、場合８１０においては、複数のマクロサブフレームの１００％が複数のＵＬサブフレームとして構成され、そして他の場合８１２においては、複数のマクロサブフレームの１００％が複数のＤＬサブフレームとして構成される。ＰＵＥへのＵＬの間、複数のピコサブフレームの１００％が、複数のＵＬサブフレームとして構成される。また、シミュレーション結果は、複数のマクロ及びピコセルの八分の一（１／８）がランダムにアクティブとされ、複数のマクロサブフレームの１００％が複数のＤＬサブフレームとして構成される、部分的なシステム負荷の場合８１４についてのＳＩＮＲを示す。部分的なシステム負荷の場合は、低いシステム負荷における潜在的な干渉環境を示す。
【００２５】
図３において、シミュレーション結果は、８１６と８１８の２つの場合に対して、ＭＵＥに対するＵＬのＳＩＮＲ８０６を示している。ここで、複数のピコサブフレームの５０％は、複数のＤＬサブフレームとして構成され、かつ複数のピコサブフレームの５０％は、複数のＵＬサブフレームとして構成される場合８１６、及び複数のピコサブフレームの１００％が複数のＵＬサブフレームとして構成される場合８１８を含めて、全てのマクロノード及びピコノードがアクティブである。ＭＵＥへのＵＬにおいて、複数のマクロサブフレームの１００％が複数のＵＬサブフレームとして構成される。また、シミュレーション結果は、部分的なシステム負荷の場合８２０に対するＳＩＮＲも示し、この場合、マクロセル及びピコセルの八分の一（１／８）は、ランダムに起動され、複数のピコサブフレームの５０％は複数のＤＬサブフレームとして構成され、かつ複数のピコサブフレームの５０％は、複数のＵＬサブフレームとして構成される。
【００２６】
図２及び３のシミュレーション結果から観測されることは、マクロセル及びピコセルは、複数のマクロ−ピコリンクにおいて、強い結合を持ち得るということであり得る。マクロ局及びピコ局（すなわち、ノード）からの強いＤＬのセル間干渉は、それぞれ、複数のＰＵＥ及び複数のＭＵＥにおける大幅なＵＬの性能の劣化に帰着し得る。劣化したＵＬのＳＩＮＲ性能は、マクロ−ピコ同一チャネルの複数のシナリオにおける、ＵＬ−ＤＬ構成の動的な適応を妨げる障害であり得る。
【００２７】
干渉管理及びトラフィックアダプテーション（ＩＭＴＡ）方法は、ＤＬ−ＵＬ干渉を効果的に解決するために利用可能であり、マクロ−ピコ同一チャネルシナリオにおけるトラフィックアダプテーションの利点を引き出し得る。孤立セルのクラスタ化による干渉緩和（ＣＣＩＭ）やフレキシブルサブフレーム（Ｆｌｅｘ  ＳＦ）における低減された送信電力等の方法をＤＬ−ＵＬ干渉を緩和するために使用することができる。孤立ＣＣＩＭにおいて、上記特定の（又は所定の）閾値より上で互いに干渉を生じる複数のピコセル（これについては、複数のパスゲインを用いて決定できる）は、グループ化又はクラスタ化され、同じＵＬ−ＤＬ構成を用いて動作する。干渉を生じない、或いは特定の（又は所定の）閾値より下の干渉を互いに生じる複数のピコセルは、他の複数のピコセルグループ又はクラスタから孤立していると見なすことができ、そして当該他の複数のピコセルグループ及びクラスタから独立して動作することができ、これにより、孤立したピコセル又はピコクラスタは、他の複数ピコセルグループ又はクラスタと協調することなく、ＵＬ−ＤＬ構成を変更することができる。
【００２８】
孤立ＣＣＩＭ法は、ピコ−ピコ同一チャネル展開シナリオに対しては有効であり得るが、しかしながら、マクロ−ピコ同一チャネル展開シナリオに対しては有効ではない場合がある。例えば、孤立ＣＣＩＭ法は、複数のピコセルからの複数のマクロＵＥ（ＭＵＥ）のＵＬの送信に対するＤＬのセル間干渉の問題に対処するために、マクロ−ピコ同一チャネル展開の場合に対して、一般化できる可能性がある。孤立ＣＣＩＭ法によると、複数のマクロセル及び／又はピコセルから構成される複数のクラスターを形成するために、複数のピコ−マクロリンクの複数のパスゲインを測定及び使用することができる。マクロセルと強い結合をもつ複数のピコセルは、マクロセルと同じＵＬ−ＤＬ構成を使用することができ、かつ残りの複数のピコセルは、孤立された複数のセルと見なすことができるか、或いはマクロセルと弱い結合を有する複数のピコセルから孤立された複数のクラスタを形成することができる。マクロ−ピコ孤立ＣＣＩＭの欠点は、複数のピコセルのトラフィック適応機能を実質的に制限することであり得る。
【００２９】
図４は、一定のピコ−ピコ・パスゲイン閾値（ＸＰＰ）を有する各種マクロ−ピコ・パスゲイン閾値（ＸＭＰ）８２２−８３２に基づく、マクロＵＥのＵＬのＳＩＮＲ８０８を示す。図４は、ＸＭＰの減少に伴い、複数のマクロＵＥのＵＬのＳＩＮＲを改善できることを示す。図５に示されるように、ＵＬのＳＩＮＲの性能は、より多くのピコセルがマクロセルと同期して動作するにつれて改善される。図５は、ｄＢ単位で測定される各種マクロ対ピコ・グループ化閾値８４２に対して、マクロノード８４０と同期して動作する複数のピコセルの割合８４４を示す。同期ＴＤＤシステムの場合と同じマクロＵＥのＵＬのＳＩＮＲ性能を達成するために、一例において、全てのピコセルは、複数のマクロセルと同期して動作する。このため、ＩＭＴＡ孤立セルクラスタ法は、マクロ−ピコ同一チャネルシナリオに対しては最適ではない場合がある。
【００３０】
複数のピコ局からの複数のマクロＵＥのＵＬの性能に対するＤＬのセル間干渉の悪影響を緩和するための別の手法は、複数のピコ局の複数のフレキシブルサブフレーム（ＦｌｅｘＳＦ）の送信電力を低減することであり得る。ＦｌｅｘＳＦは、送信の方向を１つのＵＬ−ＤＬ構成から別の構成に変更することの可能なサブフレームであってもよい。レガシーＬＴＥのＵＬ−ＤＬ構成の場合、ＦｌｅｘＳＦは、サブフレーム２、３、４、７、８、及び９含むことができる。拡張型の複数のＵＬ−ＤＬ構成の場合、ＦｌｅｘＳＦは、送信方向を１つのＵＬ−ＤＬ構成から別の構成（例えば、サブフレーム０−９）に変更可能な任意のサブフレームを含むことができる。同様に、複数のマクロノードからの複数のピコＵＥのＵＬの性能へのＤＬのセル間干渉の悪影響は、複数のマクロ局のＦｌｅｘＳＦの送信電力を低減することにより、緩和され得る。
【００３１】
マクロノードからピコノードへのマクロユーザトラフィックのオフロード及びサブフレームミューティング（方法２と呼ばれる）は、ＤＬ−ＵＬ干渉を低減する別のＩＭＴＡ技術である可能性があり、かつマクロ−ピコ同一チャネルシナリオに対するＤＬとＵＬのパケットスループットの性能向上を達成することができる。また、複数のピコセルに対して減少したＵＬ−ＤＬ適応セットを使用すること（方法１と呼ばれる）により、ＤＬ−ＵＬ干渉を低減することが可能であり、かつマクロ−ピコ同一チャネルシナリオに対するＤＬ及びＵＬパケットスループットにおける性能向上を達成することができる。ユーザトラフィックのオフロード、複数のマクロサブフレームのミューティング、及び複数のピコセルに対するＵＬ−ＤＬ適応セットの低減において、複数のピコセルにおける適応的なＵＬ−ＤＬ構成の変更の効果的な実行を妨げる、複数のマクロセルからのセル間干渉を考慮することができる。
【００３２】
減少したＵＬ−ＤＬ適応セットは、サブセットの制約を適用することにより生成することができる（すなわち、方法１）。例えば、図２に示されるように、システムの負荷が小さい場合であっても、ＤＬにおいて複数のマクロセルが動作する場合、複数のピコＵＥのＵＬのＳＩＮＲは負である場合がある。複数のマクロ局（例えば、複数のマクロノード）が複数のＤＬ信号を送信する場合、ＵＬの送信は、大きな干渉を受ける場合がある。複数のマクロＤＬ送信を避けるために、ピコセルにおいて、複数のＵＬ−ＤＬ構成の減少したセットを適用することができる。そのような制約を適用することにより、マクロセルの複数のＤＬサブフレームは、複数のピコセルＤＬサブフレームの部分集合となり得る。例えば、マクロセルの各ＤＬサブフレームは、ピコセルのＤＬ又は特殊サブフレームと対応してもよく、かつマクロセルの各ＵＬサブフレームは、ピコセルのＵＬ、ＤＬ、又は特殊サブフレームに対応してもよい。ピコセルのＤＬサブフレームは、マクロセルの拡張集合であり得る。図６は、マクロＵＬ−ＤＬ構成に基づく、ピコセルの減少したＵＬ−ＤＬ適応セットの例を示す。無線フレーム２０２について、マクロセルが基準ＵＬ−ＤＬ構成＃１（２１０）を使用する場合、複数のピコセルは、ＵＬ−ＤＬ構成＃１、２、３、５（２２０）を使用することが許容され、複数のマクロＵＬサブフレーム（他のＵＬ−ＤＬ構成［レガシーＬＴＥのサブフレーム２以外］の中の送信方向に変更するように構成される）は、ピコセルに対する複数のフレキシブルサブフレーム（ＦｌｅｘＳＦ）として構成され得る。ＦｌｅｘＳＦは、ピコセルにおけるＵＬ又はＤＬ送信のいずれかに対して用いることができる。マクロＵＬ−ＤＬ構成＃１に対する図４に示される例において、ＦｌｅｘＳＦは、サブフレーム３、７、及び８を含むことができる。
【００３３】
減少した適応セットは、複数のピコＵＥのＵＬのＳＩＮＲに対するＤＬ−ＵＬ干渉を緩和させることができる。しかしながら、複数のピコ局におけるＵＬのトラフィック適応能力は低下することがあり、かつ基準ＵＬ−ＤＬ構成＃１に反するＵＬの性能向上は、大幅なものではないかもしれない。ＵＬを優遇する複数のＴＤＤ構成を複数のマクロセルに適用すること（例えば、ＤＬ対ＵＬ比が４対６のＴＤＤ構成０）は、ピコノードにおける適応能力を向上させることができ、それは複数のピコセルにおけるＴＤＤ構成の適応セットのサイズを増加させることができる。ＵＬ−ＤＬ構成０を使用することは、ピコセルが、ピコＵＬ−ＤＬ適応セットの中の７つのレガシーＵＬ−ＤＬ構成を使用することを許容し、その場合、ピコＵＬ−ＤＬ適応セットは減少されない。一方で、ＵＬ−ＤＬ構成５を使用することで、ピコセルをピコＵＬ−ＤＬ適応セットの中の１つのレガシーＵＬ−ＤＬ構成（例えば、ＵＬ−ＤＬ構成５）に制限することが可能であるが、これは、同期マクロ−ピコＵＬ−ＤＬ構成以上の利点を与えることはできない。従って、複数のレガシーＵＬ−ＤＬ構成が使用される場合、ピコＵＬ−ＤＬ適応セットは、１から７の（複数の）レガシーＵＬ−ＤＬ構成の範囲に及んでもよい。
【００３４】
ＵＬピコ受信に対するマクロＤＬセル間干渉の影響を緩和するため、及びマクロＵＬ受信に対するピコＤＬセル間干渉の影響を緩和するためにも、ピコＵＬ−ＤＬ適応セットを使用することができる。ピコＵＬ−ＤＬ適応セットは、マクロセルと複数の小型セル（例えば、複数のピコセル）との間のクロスセル干渉協調メカニズムを提供することができる。
【００３５】
マクロユーザのトラフィックオフローディング及び／又はマクロサブフレームのミューティング（すなわち、方法２）は、ＵＬピコ受信に対するマクロＤＬセル間干渉の影響を緩和するため、及びマクロＵＬの性能に対する複数のピコセルからのＤＬセル間干渉の影響を緩和するための両方に対して使用することができる。複数のピコセルにおける動的ＵＬ−ＤＬ再構成の有効性を低下させることのできるマクロ−ピコ同一チャネル展開シナリオの主な課題は、ピコセルのＵＬ送信に対する複数のマクロセルからの強いＤＬセル間干渉（複数のＰＵＥに影響を与える）及びマクロセルのＵＬ送信に対する複数のピコセルからの強いＤＬセル間干渉（複数のＭＵＥに影響を与える）を含み得る。
【００３６】
複数のマクロセルからの強いＤＬセル間干渉は、複数のマクロセルのＤＬサブフレームに対するピコセルのＵＬ送信方向の使用を制限する場合がある。複数のマクロセルからの強いＤＬセル間干渉は、基準ＵＬ−ＤＬ構成と比較した場合に、複数のピコセルに対するＵＬパケットのスループットの向上を低下させる場合がある。
【００３７】
複数のマクロセルに対する複数のピコセルからの強いＤＬセル間干渉は、マクロＵＥ及びピコＵＥのＵＬ性能を劣化させる場合がある。複数のピコＵＥの性能の低下を緩和するために、ＣＣＩＭを使用することができるが、ＣＣＩＭは、複数のマクロＵＥの性能の低下を解決できないかもしれない。
【００３８】
複数のＤＬマクロサブフレームをミュートする方法と組み合わせて、複数のマクロセルから複数のピコセルへのトラフィックのオフロードを含む、ユーザオフロードのメカニズムは、マクロセルとピコセルとの間のＤＬ−ＵＬ干渉を回避又は緩和するために使用することができる。複数のマクロＵＥにサービスを提供する複数のマクロノードは、ＭＵＥトラフィック（例えば、ＭＵＥのパケット）の少なくとも一部を複数のピコセルに対してオフロードすることができ、従って、マクロセルに対する負荷を減少させる。マクロノードから、ＵＬトラフィック及び／又はＤＬトラフィックをオフロードすることができる。
【００３９】
複数のマクロセルがマクロＵＥの上りリンクのトラフィックを複数のピコセルにオフロードする場合、ＵＬトラフィックは、複数のピコセルに対してオフロードされ得るので、複数のピコセルから複数のマクロセルのＵＬ受信へのＤＬセル間干渉の負の影響はほとんど発生しない場合がある。マクロＵＥの上りリンクのトラフィックをオフロードする場合、マクロセルの上りリンクのトラフィックをより少なくするために、上りリンクのトラフィックの少なくとも一部を複数のピコセルにより処理することができるので、複数のマクロセルにおける性能の低下に遭遇することなく、複数のピコセルにおいて、ＤＬを優遇する複数のＵＬ−ＤＬ構成を適用することができる。
【００４０】
複数のマクロセルから複数のピコセルへのマクロＵＥの下りリンクのトラフィックのオフロードは、各種の肯定的な効果を持ち得る。例えば、複数のピコセルは、ＵＬパケットのスループットを向上させることの可能なＵＬを優遇する複数のＵＬ−ＤＬ構成の適用を開始することができる。例えば、複数のピコセルは、複数のピコセルの中のＵＬ送信について、複数のマクロセルのＤＬサブフレームを使用することができる。他の利点は、マクロＤＬトラフィックのオフロードがネットワーク内の全体の干渉環境を改善することができるということであり、これはまた、複数のピコセルＵＥのＤＬスループットを改善することができる。例えば、マクロＤＬトラフィックがオフロードされる場合、複数のマクロセルの複数のＤＬサブフレームは、低干渉の（ミュートされた）複数のサブフレームと見なすことができるので、これらのサブフレームは、複数のピコＵＥからのトラフィックの受信に対する強い干渉は与えないかもしれない。
【００４１】
実装に応じて、マクロからピコへのトラフィックのオフロードは、ＵＬトラフィックのみ、ＤＬトラフィックのみ又はＤＬ及びＵＬトラフィックの両方に対して適用されてもよい。図７は、ＵＬマクロトラフィックのオフロードの例を示す。図８は、ＤＬマクロトラフィックのオフロードの例を示す。図９は、ＵＬ及びＤＬのマクロトラフィックの両方をオフロードする例を示す。図７−９に示される例において、基準ＨｅｔＮｅｔシステムは、マクロセル及び複数のピコセルにおいて、レガシーＵＬ−ＤＬ構成＃１（２１２）を使用することができる。レガシーＬＴＥの複数のＵＬ−ＤＬ構成において、サブフレーム３、４、７、８、及び９は、ＦｌｅｘＳＦと呼ばれてもよく、そして固定サブフレーム０、１、２、５、及び６は、通常の複数のサブフレームと呼ばれてもよい。図７−９は、複数のマクロセルがＵＬ−ＤＬ構成＃１を適用する際の、複数のピコセルの複数のＵＬ−ＤＬ構成（図６）の動的な適用の使用と比較することができる。
【００４２】
レガシーＬＴＥの複数のＵＬ−ＤＬ構成において、複数のマクロセルサブフレーム及び複数のピコセルサブフレームの一部が常に、送信方向に関して揃えられているので（すなわち、Ｄ／Ｓサブフレーム０、１、５、６及びＵサブフレーム２）、トラフィックのオフロードは、ＤＬ及び／又はＵＬトラフィックの一部に対して適用されてもよく、その一方で、
マクロセルが固定された送信方向の複数の基準サブフレームにおいて残りの複数のＭＵＥに対してサービスの提供を続けてもよい。拡張型のＵＬ−ＤＬ構成は、固定された送信方向についての複数のサブフレームに対する制約を持たなくてもよい。マクロＤＬ及び／又はＵＬトラフィックのオフロードは、追加のトラフィックがオフロードされることを可能としてもよい。
【００４３】
図７において、ＵＬトラフィックを複数のマクロセルから複数のピコセルにオフロード２３０することができる。その結果、サブフレーム＃３、７及び８は解放され、そして複数のマクロＵＥの上りリンクの性能に影響を与えることなく、複数のピコセルにおけるＤＬ送信のために使用することができる。利用可能な複数のＵＬ−ＤＬ構成２２２（例えば、ＵＬ−ＤＬ構成１、２、３、４、又は５）からの、ＤＬを優遇する複数のＵＬ−ＤＬ構成（例えば、ＵＬ−ＤＬ構成２、３、４、又は５）の使用は、複数のピコセルにおけるより柔軟なトラフィックの適応機能のため、複数のピコＵＥのＤＬパケットスループットを大幅に改善することができる。同時に、残りのＵＬサブフレーム＃２において（レガシーＬＴＥのＵＬ−ＤＬ構成を使用して）、マクロＵＥは、さらに、ＵＬトラフィックの一部を提供することができる。別の例において、複数のピコセルは、ＤＬを優遇する複数のＵＬ−ＤＬ構成を使用することができ、かつ複数のピコリンクにおけるＤＬ−ＵＬ干渉の問題を回避するために、ＣＣＩＭ又は他の干渉緩和方法を適用することができる。
【００４４】
図８は、ＤＬマクロトラフィックだけが複数のマクロセル２３２から複数のピコセルにオフロードされる場合である、反対の例を示している。この例では、複数のマクロセルは、フレキシブルサブフレーム＃４及び９におけるそれらのＤＬ送信を制限又はミュートすることができる。ＦｌｅｘＳＦ４及び９は、低干渉サブフレーム（又はほぼ空白のサブフレーム［ＡＢＳ］）と見なすことができる。複数のマクロセルからの、これらのサブフレーム４及び９に対するＤＬセル間干渉は、利用可能な複数のＵＬ−ＤＬ構成２２４（例えば、ＵＬ−ＤＬ構成０、１、又は６）からの、ＵＬを優遇するＵＬ−ＤＬ構成＃６及び９（２３４）の使用を容易にすることができ、従って、複数のピコセルにおけるＵＬパケットのスループットを実質的に改善することができる。また、ピコＤＬサブフレーム４及び９はマクロセル干渉により制限されないかもしれないので、複数のピコＵＥのＤＬスループットもまた改善され得る。ＤＬサブフレーム０、１、５、及び６において、マクロＵＥは、さらに、オフロードされなかったＤＬトラフックの一部を提供することができる。
【００４５】
図９は、ＤＬ及びＵＬトラフィックの両方が、複数のマクロセル２３６から複数のピコセルにオフロードされる場合の例を示している。複数のＵＬ−ＤＬ構成２２６のセットの全体を、トラフィックアダプテーションの点で追加的な柔軟性を提供する複数のピコセルにおけるトラフィックアダプテーションのために使用することができる。複数のピコ−ピコ・リンクにおけるＤＬ−ＵＬ干渉は、孤立ＣＣＩＭ又は他の干渉緩和技術を使用することにより解決することができる。一例において、複数のピコセルは、複数のＵＬ−ＤＬ構成のセットの全体を使用することができ、かつＤＬ−ＵＬ干渉を回避又は低減するために、ＣＣＩＭ又は他の干渉緩和方法を適用することができる。
【００４６】
図７−９は、マクロトラフィックのオフロードの例を提供し、そして本発明の範囲を限定するものではない。トラフック及び／又はユーザのオフロードは、動的な複数のＵＬ−ＤＬ構成からの利点を得るために使用することができ、そしてさらに、拡張型の複数のＵＬ−ＤＬ構成等の他の複数のＵＬ−ＤＬ構成に拡張することができる。一般的な場合において、トラフィックは、無線フレームのフレキシブルフレーム及び基準フレームの両方からオフロードすることが可能であり、かつ複数のマクロセルにおいて使用される他の複数のＵＬ−ＤＬ構成に対しても適用することができる。代替的に、極端な場合には、全てのマクロユーザが、複数のピコセルにオフロードされ得る。全てのＭＵＥが複数のピコセルにオフロードされる場合、複数のマクロセルの送信がミュートされてもよく（少なくとも、データ送信の面で）、従って、ＵＬ−ＤＬセル間干渉を、大幅に低減することが可能であり、或いはほぼ回避することができる。他の例において、複数のマクロセルは、無線フレームの複数の基準サブフレームの中で、複数のマクロＵＥの一部（例えば、近くに位置する複数のＵＥ又は複数のピコセルから遠くに位置する）に対してサービスの提供を継続することができる。
【００４７】
他の例において、ハイブリッド方式（すなわち、方法３）は、同時最適化により、ピコセルおいてＵＬ−ＤＬ適応セットの組合せを使用すること（すなわち、方法１）及びマクロユーザトラフィックオフロード及び／又はサブフレームミューティングを含むことができる。減少したＵＬ−ＤＬ適応セットの方法及びトラフィックオフロードの組合せは、複数のピコセルにおけるＵＬ−ＤＬ再構成の複数の利点をさらに増大するために使用され得る。例えば、マクロセルは、方法２を用いて、ＤＬ及び／又はＵＬの重い複数のＭＵＥをピコセルにオフロードすることを試みることができる。ＤＬトラフィックが増加するにつれて、ある時点で小型セル（例えば、ピコセル）は、ＤＬサブフレームの割り当てを増やすために、方法１により提案されるサブセットの制約に基づいて、ＤＬ／ＵＬ構成を採用することができる（例えば、ＵＬ−ＤＬ構成１をＵＬ−ＤＬ構成２に切り替えることができる（図６参照））。ＵＬ−ＤＬ適応セットのＵＬ−ＤＬ構成の変更は、ネットワークの時間的に変化するトラフィック状況に適応するように、反復的に最適化されてもよい。トラフィック又は他の条件（例えば、負荷又はカバレッジ）が変化するにつれて、いくつかのＵＥは、小型セルからマクロセルにスイッチバックすることができる（例えば、小型セル内の限られたＵＬ容量によるＵＬの重いＵＥ又は小型セルの範囲外に移動する）。いくつかのＵＥがマクロセルにスイッチバックする場合又は小型セルのＵＬ／ＤＬトラフィックパターンが変化する場合、小型セル（例えば、ピコセル）は、方法１のサブセットの制約に基づき、ＤＬサブフレームの割り当てを少なくするためのＵＬ−ＤＬ構成を採用することができる（例えば、ＵＬ−ＤＬ構成２は、ＵＬ−ＤＬ構成に切り替えられてもよい）。
【００４８】
他の例において、ハイブリッド方式（すなわち、方法４）は、方法１、２、及び／又は３、及びＣＣＩＭ法の組合せを使用することを含んでもよい。ＣＣＩＭ法及び方法１、２、及び／又は３の組合せは、性能を向上するために適用することができる。例えば、方法１、２、及び／又は３を使用して、マクロ−ピコ干渉が緩和又は回避される場合、ピコ−ピコ干渉は、まだ、存在するかもしれない。さらに、セルのクラスタ化手法の適用（例えば、いくつかのメトリック（例えば、セル間の結合損失）に従って、複数の小型セル（例えば、複数のピコセル）の集合を複数のセルクラスタに分割することができる、ＣＣＩＭ法）により、ピコ−ピコ干渉を緩和することができる。孤立した複数のセルクラスタは、瞬時的なトラフィック状況に基づき、それらのＴＤＤ構成を独立して適合させることが許容されてもよい。従って、１つの孤立セルクラスタの中の各セルは、同じＴＤＤ構成を使用することができ、かつ同じ送信方向とすることができ、従って、クラスタ内部のＢＳ−ＢＳ干渉の悪影響を回避することができる。一方、他の隣接する複数のクラスタは、それらそれぞれのトラフィック条件に従って適応され得る、異なる複数のＴＤＤ構成を使用することができる。
【００４９】
図１０及び１１は、下りリンク（ＤＬ）と上りリンク（ＵＬ）のパケットスループット８５４（メガビット／秒（Ｍｂｐｓ）で測定される）の比較及びファイル転送プロトコル（ＦＴＰ）のパケット到達率８５２（１／秒（１／ｓ）又はヘルツ（Ｈｚ）で測定される）に関連する性能分析を示す。図１０及び１１は、マクロセルからピコセルへのユーザのオフロードを含む、方法１、２、３、及び／又は４についてのＵＬ−ＤＬ再構成の利点を示している。シミュレーションの例は、全てのマクロユーザがＦｌｅｘＳＦの間、複数のピコセルにオフロードされる場合である、理想的な場合を考慮している。マクロユーザのオフロードに起因する、複数のピコセルにおけるトラフィック量の増加を考慮して、マクロセルトラフィックは、マクロセルセクターの中に展開される４つのピコセルの間で共有される。複数のピコセルにおけるトラフィック量の増加の効果をエミュレートすると、複数のピコセルにおけるパケット到達率は、２５％増加する。複数のＦＴＰのパケットは、複数のピコセルＵＥの間でランダムに分配される（例えば、複数のマクロセルからオフロードされる複数のピコＵＥ及びマクロＵＥ）。図１０は、ＤＬのセル平均パケットスループット８５０の分析を示し、そして図１１は、ＵＬのセル平均パケットスループット８５６を示す。３つの場合が考えられる：全てのセルが基準ＵＬ−ＤＬ構成＃１（すなわち、基準ＵＬ−ＤＬ＃１）８６０（図１０）及び８７０（図１１）を使用する場合である、マクロ−ピコ同一チャネルの場合；全てのマクロＵＥは、複数のピコセルにオフロードされ、かつ全てのピコセルは、基準ＵＬ−ＤＬ構成＃１（すなわち、オフロードＵＬ−ＤＬ＃１）８６２（図１０）及び８７２（図１１）を使用する場合である、マクロ−ピコ同一チャネルの場合；全てのマクロＵＥは、複数のピコセルにオフロードされ、かつ複数のピコセルはＤＬ−ＵＬ干渉を低減するために、複数のピコセルにおけるトラフィックアダプテーションのための７つのＵＬ−ＤＬ構成及びＩＭＴＡ孤立セル・クラスタ法を適用する場合である（オフロード＋ＩＭＴＡ、又は方法４）８６４（図１０）及び８７４（図１１）、マクロ−ピコ同一チャネルの場合。
【００５０】
オフロード、ＵＬ−ＤＬ適応セットの使用、及び／又はＩＭＴＡの実行のいくつかの技術的な利点は、図１０及び１１により示されるＤＬ及びＵＬのセル平均パケットスループットの例から見出すことができる。複数のマクロＤＬサブフレームを複数の低干渉サブフレーム（又は複数のほぼ空白のサブフレーム［ＡＢＳ］）に変換することが可能であるため、複数のマクロＵＥを複数のピコセルにオフロードすることは、ＤＬセル間干渉環境の実質的な改善を与えることができる。また、複数のピコセルにおけるトラフィック適応機能は、複数のピコセル内のわずかに増加したトラフィックの量のため、低下し得るが、複数のピコセルは、実質的にトラフィック適応機能を実質的に向上させることのできる、ＵＬを優遇する構成又はＤＬを優遇する構成の使用を開始することができ、これは、トラフィック適応機能の全体的な改善を与えることができる。複数のマクロＵＥの複数のピコセル８６２及び８７２に対するオフロードは、トラフィック適応がなかったとしても、基準の場合８６０及び８７０と比較して、より良いＤＬ及びＵＬのパケットスループット性能を可能とすることができる。孤立セルクラスタ干渉緩和（ＣＣＩＭ）法８６４及び８７４との組み合わせにおいて、複数のピコセルにおける複数のＵＬ−ＤＬ構成の動的な適応は、ＤＬ及びＵＬパケットスループット性能をさらに改善することができる。図１０及び１１の複数の例に示される通り、複数のマクロＵＥが複数のピコセルにオフロードされる場合、困難なマクロ−ピコ同一チャネルシナリオに対してであっても、動的なＵＬ−ＤＬ構成は有益であり得る。効率的なマクロユーザオフロードメカニズム（例えば、方法２）が、複数のピコセルにおける干渉管理及びトラフィック適応（例えば、方法４）と組み合わせて利用される場合、ＵＬ及びＤＬパケットスループットに関する大幅な改善を達成することができる。
【００５１】
マクロＵＥ、ユーザ、及び／又はトラフィックオフロードは、半静的又は動的な方法で実行することができる。半静的手法について、拡張セル間干渉協調（ｅＩＣＩＣ）、高干渉表示（ＨＩＩ）、又は過負荷表示（ＯＩ）等の、ＬＴＥのメカニズムを適用することができる。例えば、ｅＩＣＩＣメカニズムと大きなＲＳＲＰバイアスは、複数のユーザを複数のマクロセルから複数のピコセルにオフロードするために使用することができる。例えば、マクロセル内の基準ＵＬ−ＤＬ構成に応じて、複数のマクロノードは、複数のマクロセルの間で「ＡＢＳ情報パターン」を協調させることができ、かつＨｅｔＮｅｔに対して、当該ＡＢＳ情報パターンを適用することができる。また、負荷表示（ＯＩ）又は高干渉表示（ＨＩＩ）メカニズムは、セルアドミッション制御メカニズムと共同で再利用することができる。また、マクロセルは、ネットワーク内の複数のマクロセルからの干渉を最小化するために、複数のＤＬサブフレームの一部をマルチキャスト／ブロードキャスト単一周波数ネットワーク（ＭＢＳＦＮ）サブフレームとして構成することができる。
【００５２】
ネットワークは、周波数領域セル間干渉協調（ＩＣＩＣ）又は時間領域拡張ＩＣＩＣ（ｅＩＣＩＣ）をサポートすることができる。一例において、ノードの近くで受信することのできる周波数領域内の複数のサブチャネルの一部の電力を下げることにより、隣接セル又はノード間（例えば、複数の協調ノード又は協力ノード）の干渉を軽減するためにＩＣＩＣを用いることができる。複数のサブチャネルは、隣接セル内で用いられる同じ複数のサブチャネルとは干渉せず、従って、セルの近くにおける複数のサブチャネルへの少ない干渉と共に、データは携帯機器に送信され得る。
【００５３】
拡張されたＩＣＩＣ（ｅＩＣＩＣ）は、高出力のマクロセルが、複数のピコセル（ショッピングセンターや空港内の複数のホットスポット）等の低出力の複数のノード又は複数のフェムトセル（家庭やビジネス等の小さな領域の中の複数のホットスポット）により補完されることが可能な、複数の異種ネットワークに対して、時間領域内で使用することができる。複数の低出力ノードは、マクロセルのカバレッジエリア内に存在することができる。マクロセルは、長距離の高電力信号を送信することが可能であり、そして複数の低電力ノードは、短い距離において、低電力信号を送信することが可能である。マクロセルカバレッジ領域内に位置するマクロセルと複数の低電力ノードとの間の干渉を緩和する例において、ｅＩＣＩＣは、マクロセルにおける時間領域内の複数のサブフレームのブランキングを協調させることができる。
【００５４】
複数のネットワークセル内の瞬時的なトラフィックの条件に応じて、動的なオフロードを実行することができる。動的な複数のメカニズムは、マクロセルと複数のピコセルの間の協調処理を含んでもよい。例えば、マクロセルと通信中のユーザ（例えば、ＭＵＥ）は、隣接する複数のピコセルのリンク品質を監視することができる。ＵＥは、異なる複数の干渉環境のチャネル品質を測定することができ（例えば、基準又はＡＢＳサブフレーム）、そしてマクロ及びピコセルの両方に対して、チャネル品質表示（ＣＱＩ）のフィードバックを通知する。チャネル品質フィードバック情報（例えば、ＣＱＩ）及びトラフィック条件に基づき、マクロセル（又は中央処理装置（ＣＰＵ）又は中央処理モジュール（ＣＰＭ））は、ユーザトラフィックを複数のピコセルにオフロードできるか否かを判断することができる。ＣＰＵ又はＣＰＭは、集中型、協調型、又はクラウド無線アクセスネットワーク（Ｃ−ＲＮＡ又はＣＲＡＮ）等のネットワーク（例えば、ＨｅｔＮｅｔ）の複数のノード（例えば、複数のｅＮＢ）のためのベースバンドユニット（ＢＢＵ）として使用することができる。動的な手法は、ＣＲＡＮアーキテクチャと共に実現することができ、複数のセルの処理は、１つのＣＰＵ又はＣＰＭにより実行することができる。ＣＲＡＮでは、ベースバンドユニット（ＢＢＵ）処理プールと遠隔無線ユニット（ＲＲＵ）又はＲＲＵにＢＢＵを接続する光ファイバーを有する遠隔無線ヘッド（ＲＲＨ）との間で、ノード機能を細分化することができる。Ｃ−ＲＡＮは、集中処理、協調無線、及びリアルタイムクラウドインフラストラクチャーＲＡＮを提供することができる。一例において、動的ポイント選択（ＤＰＳ）手法を適用することができ、そしてユーザ(例えば、ＵＥ）は、他のセルからデータを受信するように構成され得る。動的ポイント選択（ＤＰＳ）は、マクロノードから協調セット（例えば、協調マルチポイント（ＣｏＭＰ）クラスタ）の中のＬＰＮへのトラフィックの動的オフロードを可能にする。ＤＰＳにおけるトラフィックのオフロードは、サービングポイントの適応的再選択（例えば、マクロノードからＬＰＮ）及び干渉を抑制するためのリソースブランキング（例えば、マクロノードにおいて）の適用により、達成することができる。ＤＰＳは、半静的セル範囲拡大（ＣＲＥ）及び時間領域ｅＩＣＩＣの動的な拡張であり得る。ＤＰＳのスケジューリングは、集中型で、１つの協調セット（例えば、ＣｏＭＰクラスタ）内のマクロノード及び複数のＬＰＮに対して、同時に行うことができる。他の例において、マクロ及びピコセルは、潜在的な性能上の利点を評価するために、異なる複数の干渉環境（例えば、基準又はミュートされたＡＢＳサブフレーム）におけるＵＥのＤＬ／ＵＬチャネル品質（例えば、ＣＱＩ）だけでなく、現在のトラフィックバッファ状態を交換することができ、かつトラフィックオフロードを決定することができる。
【００５５】
マクロユーザのオフロードと複数のピコセルの孤立セルクラスタ化（例えば、ＣＣＩＭ）の組合せは、複数のピコセルにおけるＵＬ−ＤＬ構成の動的な調整を可能とする組合せを表すことができる。方法１−４は、ＤＬ−ＵＬ干渉マクロ−ピコ同一チャネル展開シナリオにおいて、マクロＵＥ及びピコＵＥの両方のＤＬ及びＵＬパケットのスループットを実質的に向上することができる。複数のマクロセルからのＵＥのオフロードは、ＤＬセル間干渉環境を実質的に改善することができ、かつ複数のピコセルにおける動的なトラフィック適応機能を拡張することができる（例えば、複数のマクロセルがＤＬを優遇する構成を使用するように構成されている場合であっても、ＵＬを優遇する構成を複数のピコセルにおいて適用することができる）。新しいキャリアの種別において、ミュートされた複数のサブフレームは、低い密度のセル基準信号（ＣＲＳ）を有することが可能であるため、ユーザのオフロード及びマクロセルのミューティングの使用はより有益であり得る。例えば、ＣＲＳは、５ミリ秒（ｍｓ）の周期で送信することができ、かつフレーム毎に、複数の基準セブフレーム又はわずか数個のサブフレームに割り当てられる可能性がある。いくつかの場合において、複数のマクロセルからの複数のＤＬサブフレームを、完全にミュートされていると見なすことができる。
【００５６】
図１２は、マクロセルからピコセルへの動的なトラフィックのオフロードのための機能ブロック図を示す。制御情報を、マクロセルと隣接する複数のピコセル４００との間で交換することができる。トラフィックオフロードを使用することの効率の判定を行うための情報を取得するために、マクロセルは、隣接する複数のピコセルと制御情報を交換することができる。制御情報は、複数のピコセルの現在のＤＬ及びＵＬのバッファ状態；複数の基準及び／又はフレキシブルサブフレーム（ＦｌｅｘＳＦ）における複数のピコセルのＤＬ／ＵＬのセルのスペクトル効率（ＳＥ）；ＴＤＤの複数のＵＬ−ＤＬ構成を適応させるピコセルの複数の機能（例えば、現在のＵＬ−ＤＬ構成、ＵＬ−ＤＬ構成の適応セット、又はＴＤＤ構成の適応時間スケール）；セル間の複数のパスゲイン（マクロセルと複数のピコセルとの間）；又はピコセルが過負荷でない場合に、オフロードされたＵＥを受け入れる可能性（例えば、ピコセルは、そのような可能性を示してもよい）；を含み得る。情報交換は、ある周期（例えば、１０ｍｓ又は５０ｍｓ）で行うことができる。情報交換は、Ｘ２シグナリングを介して行うことができ、或いは情報を収集する集中型のエンティティを用いて行うことができる。
【００５７】
少数のＤＬ又はＵＬパケットが、マクロセル４０２によりサービスの提供を受けるＵＥにおいて出現し得る。マクロセルは、ＵＥのトラフィック要件４０４（例えば、データ量及び／又はサービス品質（ＱｏＳ）パラメータ）を取得することができる。マクロセルは、隣接する複数のピコセルの一部又は遠隔無線ヘッド（ＲＲＨ）４０６のチャネル品質測定を行うように、ＵＥに命令することができる。マクロセルが測定値を更新していない場合、チャネル品質測定値を取得することができる。チャネル品質測定値は、事前に取得することができ、そしてマクロセルは、ユーザパケットが到着する前に、チャネル品質を認識している可能性がある。ＵＥは、複数のピコ−ＵＥリンクのチャネル品質測定を行い、そしてマクロセル４０８に測定値を通知する。マクロセルは、ＵＥをピコセル４１０にオフロードするか否かを判定することができる。判定を行うために、複数の基準を用いることができる。例えば、判定を行うために、ＵＥパケットスループットの潜在的な利得を評価することができる。
【００５８】
マクロセルがＵＥをピコセルにオフロードすることを決定する場合、マクロセルはＵＥをピコセル４１２にオフロードする。ピコセルは、マクロセル４１４内で使用されるトラフィック及びＵＬ−ＤＬ構成を考慮して、新しいトラフィック条件に適合するように、ピコセルのＴＤＤのＵＬ−ＤＬ構成を適応させることができる。一例において、ピコセルのＴＤＤのＵＬ−ＤＬ構成は、ＴＤＤ構成適応タイムスケールに従って、適応させることができる。ＤＬパケットをピコセルからＵＥに送信することができ、或いはＵＬパケットをＵＥからピコセル４１６に送信することができる。
【００５９】
ＵＥがピコセルにオフロードされていない場合、ＤＬパケットをマクロセルからＵＥに送信することができ、又はＵＬパケットをＵＥからマクロセル４１８に送信することができる（例えば、基準サブフレームを使用して）。送信中に（例えば、ステップ４１６又は４１８）、ネットワーク（例えば、マクロセル、ピコセル、ＣＰＵ、及び・又はＣＭＵ）は、決定を改訂することができ、かつＵＥをマクロセルに戻すか、又は他のＵＥをオフロードすることができる。
【００６０】
あるピコセルから他のピコセルにトラフィックを転送するために、同様な手順が適用されてもよく、これにより、より効率的なトラフィックの適応が可能となる。例えば、複数のピコセルのうちの１つが孤立しており、かつ他方がＤＬ及び／又はＵＬトラフィックを有する場合、ピコセル間でトラフィックを転送することは、有益であり得る。
【００６１】
図１３のフローチャートに示されるように、他の例は、異種ネットワーク（ＨｅｔＮｅｔ）内における、適応上りリンク−下りリンク（ＵＬ−ＤＬ）時分割デュプレキシング（ＴＤＤ）サブフレーム構成の低干渉フレキシブルサブフレーム（ＦｌｅｘＳＦ）を生成するための、トラフィックオフロードの方法５００を提供する。方法は、マシンにおける複数の命令として実行されてもよく、当該複数の命令は、少なくともコンピュータ可読媒体又は非一時的な機械可読記憶媒体に含まれる。方法は、ブロック５１０内のように、指定されたトラフィック負荷条件のために拡張ノードＢ（ｅＮＢ）におけるトラフィック負荷メトリックを監視する動作を含む。ブロック５２０内のように、指定されたトラフィックの負荷条件が存在する場合に、マクロユーザ装置（ＵＥ）に対してスケジュールされる、マクロセルから小型セルのＵＬ−ＤＬサブフレーム構成のＦｌｅｘＳＦにトラフィックをオフロードする動作であって、ｅＮＢはマクロセルのマクロｅＮＢ又は小型セルの小型ｅＮＢである、動作、が続く。指定されたトラフィック負荷条件は、マクロセル又は小型セルの現在の下りリンク（ＤＬ）又は上りリンク（ＵＬ）のバッファ状態、複数のサブフレームにおける小型セル又はマクロセルのＤＬ又はＵＬのセル周波数効率、ＵＬ−ＤＬの複数のＴＤＤ構成を適応させるための小型セルの能力、マクロセルと小型セルとの間のセル間パスゲイン、又は追加のＵＥを受け入れるための小型セルの能力、を含む制御情報から決定することが可能である。ＦｌｅｘＳＦは、サブフレーム３、４、７、８、又は９（例えば、レガシーＬＴＥの複数のＵＬ−ＤＬ構成）を含むことが可能であるか、又は反対の送信方向を許容するように構成されるサブフレーム（例えば、複数の他のキャリア種別に対する複数のＵＬ−ＤＬ構成）を含むことが可能である。小型ｅＮＢは、低出力ノード（ＬＰＮ）、ミクロｅＮＢ、フェムトｅＮＢ、ホームｅＮＢ（ＨｅＮＢ）、遠隔無線ヘッド（ＲＲＨ）、遠隔無線装置（ＲＲＥ）、又は遠隔無線ユニット（ＲＲＵ）を含むことができる。
【００６２】
構成において、マクロセルのトラフィックをオフロードする動作は、さらに、追加の下りリンク（ＤＬ）の複数のサブフレームが小型セルにより要求された場合に、上りリンク（ＵＬ）のトラフィックをオフロードすることを含むことができる。他の構成において、マクロセルのトラフィックをオフロードする動作は、さらに、追加の上りリンク（ＵＬ）の複数のサブフレームが小型セルにより要求された場合に、下りリンク（ＤＬ）のトラフィックをオフロードすることを含む。
【００６３】
一例において、方法はさらに、小型セルのフレキシブルサブフレーム（ＦｌｅｘＳＦ）と実質的に同じ時間にスケジュールされるＤＬサブフレームのデータ送信をミュートすることを含んでもよい。ミュートされたデータ送信には、基準サブフレーム又は事前に設定されたほぼ空白のサブフレーム（ＡＢＳ）を使用してもよい。他の例において、方法はさらに、小型セルのＵＬ−ＤＬサブフレーム構成のＦｌｅｘＳＦを、減少したＵＬ−ＤＬ適応セットの中のマクロセルのＵＬ−ＤＬサブフレーム構成に対して適応させることを含んでもよい。小型セルのＦｌｅｘＳＦは、マクロセルの上り（ＵＬ）サブフレームと実質的に同じ時間にスケジュールされてもよく、そしてＦｌｅｘＳＦは、減少したＵＬ−ＤＬ適応セットに基づいて、ＤＬサブフレーム又はＵＬサブフレームとして変化するように構成されてもよい。
【００６４】
他の構成において、方法は、さらに：他の小型セルの下りリンク（ＤＬ）のサブフレームの間に、一つの小型セルの上りリンク（ＵＬ）のサブフレームから推定された小型セル間のノード対ノードチャネル干渉を測定すること；少なくとも一つの他の小型セルから、小型セルにおけるノード対ノードチャネル干渉測定値を収集すること；複数の小型セルから収集したノード対ノードチャネル干渉測定値に基づき、複数の干渉管理（ＩＭ）クラスタを決定すること；及び各ＩＭクラスタの中の複数の小型セルを同じＵＬ−ＤＬサブフレーム構成により構成すること；を含んでもよい。指定された閾値より上の干渉を互いに生成する複数の小型セルは、同じＩＭクラスタの中にグループ化されてもよく、又はトラフィック状況及び送信方向に基づき、複数の孤立サブクラスタに分割されてもよい。
【００６５】
他の例において、方法はさらに、小型ｅＮＢにおいて、ＤＬサブフレームとして構成されるＦｌｅｘＳＦの送信電力を低減することを含んでもよい。他の構成において、マクロセルのトラフィックをオフロードする前に、方法はさらに：マクロｅＮＢにおいて、送信されるデータ量又はパケットのサービス品質（ＱｏＳ）パラメータを含む、マクロＵＥ（ＭＵＥ）トラフィック要件を受信すること；ＭＵＥから隣接する複数の小型セルに対するチャネル品質測定を要求すること；マクロｅＮＢにおいて、ＭＵＥから、隣接する複数の小型セルに対するチャネル品質測定値を受信すること；及びＭＵＥトラフック要件及びＭＵＥからの隣接する複数の小型セルに対するチャネル品質測定値のうちの１つ以上に基づき、オフロードするマクロセルのトラフィックを決定すること；を含んでもよい。
【００６６】
図１４は、異種ネットワーク（ＨｅｔＮｅｔ）における、複数のノードの例及びユーザ装置（ＵＥ）７２０の例を示す。複数のノードは、マクロノード７１０（例えば、マクロ−ｅＮＢ）又は低電力ノード７３０（例えば、小型ノード、小型ｅＮＢ、マイクロ−ｅＮＢ、ピコ−ｅＮＢ、フェムト−ｅＮＢ、ホームｅＮＢ（ＨｅＮＢ）、遠隔無線ヘッド（ＲＲＨ）、遠隔無線装置（ＲＲＥ）、又は遠隔無線ユニット（ＲＲＵ））を含んでもよい。マクロノードは、バックホールリンク７５０を介してＬＰＮと通信するように構成されてもよい。複数のノードは、ノード装置７１２及び７３２を含んでもよい。マクロノードのノード装置は、小型セルにおけるトラフィック適応を可能とするために、異種ネットワーク（ＨｅｔＮｅｔ）において、半静的に、上りリンク−下りリンク（ＵＬ−ＤＬ）時分割デュプレキシング（ＴＤＤ）サブフレーム構成を選択するように構成されてもよい。マクロノードのノード装置７１２は、処理モジュール７１４及び送受信モジュール７１６を含んでもよい。処理モジュールは、小型ノードにオフロードするためのマクロノードのトラフィックを決定し、かつ上りリンクのサブフレーム又は下りリンクのサブフレームの数を減らすために、マクロＵＬ−ＤＬ構成を変更するように構成されてもよい。オフロードされたトラフィックは、マクロユーザ装置（ＭＵＥ）のパケットを含んでもよい。送受信モジュールは：ＭＵＥ（例えば、ＵＥ７２０）と通信し、変更されたマクロＵＬ−ＤＬ構成を小型セルに通信し、かつオフロードされたトラフィックを小型セルに通信するように構成されてもよい。
【００６７】
一例において、処理モジュール７４は、ＨｅｔＮｅｔの中の下りリンク（ＤＬ）のサブフレームの数を増やすと決定された場合に、上りリンク（ＵＬ）のトラフィックを小型ノードにオフロードするように、さらに動作可能であってもよく、或いは処理モジュールは、ＨｅｔＮｅｔの中のＵＬサブフレームの数を増やすと決定された場合に、ＤＬトラフィックを小型ノードにオフロードするように、さらに動作可能であってもよい。他の例において、処理モジュールは、ＭＵＥのトラフィックの小型ノードへのオフロードを開始するため；小型セルのフレキシブルサブフレーム（ＦｌｅｘＳＦ）と実質的に同じ時間にスケジュールされた下りリンク（ＤＬ）のサブフレームのデータ送信のミューティングを開始するため；又はＵＬ−ＤＬ適応セットを使用するための小型ノードへの要求を開始するために、指定されたトラフィック負荷条件を監視するように、さらに構成されてもよい。
【００６８】
他の例において、送受信モジュール７１６は、小型セルのフレキシブルサブフレーム（ＦｌｅｘＳＦ）と実質的に同じ時間にスケジュールされたＤＬサブフレームのデータ送信をミュートするように、さらに構成されてもよい。ミュートされたデータ送信には、基準サブフレーム又はほぼ空白のサブフレーム（ＡＢＳ）を使用することができる。ＦｌｅｘＳＦは、サブフレーム３、４、７、８、又は９（例えば、レガシーＬＴＥの複数のＵＬ−ＤＬ構成について）を含んでもよく、或いは反対の送信方向を許容するサブフレーム構成（例えば、発展型の複数のＵＬ−ＤＬ構成について）を含んでもよい。他の例において、送受信モジュールは、さらに、無線チャネル７５２、有線接続又は光ファイバ接続を介したＸ２シグナリング又はバックホールシグナリング７５０を介して、複数の小型ノード７３０と通信するように構成されてもよい。ノード７１０は、基地局（ＢＳ）、ノードＢ（ＮＢ）、拡張ノードＢ（ｅＮＢ）、ベースバンドユニット（ＢＢＵ）、遠隔無線ヘッド（ＲＲＨ）、遠隔無線装置（ＲＲＥ）、遠隔無線ユニット（ＲＲＵ）、又は中央処理モジュール（ＣＰＭ）を含んでもよい。小型ノード７３０は、低電力ノード（ＬＰＮ）、ミクロｅＮＢ、ピコｅＮＢ、フェムトｅＮＢ、ホームｅＮＢ（ＨｅＮＢ）、遠隔無線ヘッド（ＲＲＨ）、遠隔無線装置（ＲＲＥ）、又は遠隔無線ユニット（ＲＲＵ）を含んでもよい。
【００６９】
他の例において、送受信モジュールはさらに：ＭＵＥのトラフィック要件を受信し、隣接する複数の小型セルのチャネル品質測定値をＭＵＥ（例えば、ＵＥ７２０）に要求し、隣接する複数のセルの品質測定値をＭＵＥから受信するように構成されてもよい。処理モジュールは、さらに、隣接する複数の小型セルのチャネル品質測定値及びＭＵＥトラフィック要件のうちの１つ以上に基づいて、オフロードするトラフィックを決定するように構成されてもよい。ＭＵＥトラフィック要件は、送信されるデータの量、又はＭＵＥのパケットのサービス品質（ＱｏＳ）パラメータを含んでもよい。
【００７０】
他の構成において、処理モジュールは、半静的なメカニズム又は動的なシグナリングを用いて、トラフィックを小型ノードにオフロードするように構成されてもよい。半静的メカニズムは、大きな基準信号受信電力（ＲＳＲＰ）バイアスを伴う拡張セル間干渉協調制御（ｅＩＣＩＣ）を使用してもよく、過負荷表示（ＯＩ）を使用してもよく、或いは高干渉表示（ＨＩＩ）を使用してもよい。ダイナミックなシグナリングは、送信のオフロードを示す物理的又は上位レイヤのシグナリングを含んでもよい。
【００７１】
小型ノード７３０（例えば、小型拡張ノードＢ（ｅＮＢ））のノード装置７３２は、異種ネットワーク（ＨｅｔＮｅｔ）において、上りリンク−下りリンク（ＵＬ−ＤＬ）の複数の時分割デュプレキシング（ＴＤＤ）サブフレーム構成を適応化するように構成されてもよい。小型ノードのノード装置は、処理モジュール７３４及び送受信モジュール７３６を含んでもよい。送受信モジュールは、マクロｅＮＢからマクロＵＬ−ＤＬ構成を受信するように構成されてもよい。処理モジュールは、マクロＵＬ−ＤＬ構成に基づいて、ピコＵＬ−ＤＬ適応セットを生成するように構成されてもよい。ピコＵＬ−ＤＬ適応セットは、利用可能な複数のＵＬ−ＤＬ構成とフレキシブルサブセット（ＦｌｅｘＳＦ）のサブセットを含んでもよい。ＦｌｅｘＳＦは、ピコＵＬ−ＤＬ適応セットに基づいて、下りリンク（ＤＬ）サブフレーム又はＵＬサブフレームのうちの１つとして変化するように構成されてもよい。一例において、ピコＵＬ−ＤＬ適応セットの各ピコＦｌｅｘＳＦは、マクロＵＬ−ＤＬ構成のマクロ上りリンク（ＵＬ）サブフレームと実質的に同じ時間にスケジュールされる。
【００７２】
一例において、送受信モジュール７３６は、マクロｅＮＢからのトラフィックがオフロードされた場合に、マクロユーザ装置（ＭＵＥ）と通信するようにさらに構成されてもよい。送受信モジュールは、さらに、ＨｅｔＮｅｔの中のＤＬパケットのスループットを上げるために、ＭＵＥからＵＬトラフィックを受信するように動作可能であってもよく、或いは送受信モジュールは、さらに、ＨｅｔＮｅｔの中のＵＬパケットのスループットを上げるために、ＤＬトラフィックをＵＥに送信するように動作可能であってもよい。送受信モジュールは、ＤＬサブフレームとして構成されるＦｌｅｘＳＦのトラフィックにおける送信電力を下げるように、さらに構成されてもよい。ＦｌｅｘＳＦは、サブフレーム３、４、７、８、又は９（例えば、レガシーＬＴＥの複数のＵＬ−ＤＬについての）を含んでもよく、或いは反対の送信方向を許容するサブフレーム（例えば、拡張型の複数のＵＬ−ＤＬ構成についての）を含んでもよい。
【００７３】
他の例において、ノード装置７３２は、さらに、セルクラスタ化干渉緩和（ＣＣＩＭ）を使用するように構成されてもよい。送受信モジュール７３６は、さらに、小型セルのノード対ノードのチャネル干渉を測定し、１つ以上の小型ｅＮＢと通信し、かつ１つ以上の異なる小型のｅＮＢからノード対ノードのチャネル干渉測定値を収集するように構成されてもよい。処理モジュール７３４は、さらに、複数の小型セルから収集されたノード対ノードのチャネル干渉測定値に基づき、複数の干渉緩和（ＩＭ）セルクラスタを決定するように動作可能であってもよく、そして同じＵＬ−ＤＬサブフレーム構成により、各ＩＭセルクラスタの中の複数の小型セルを構成可能であってもよい。指定された閾値よりも上の干渉を互いに生じる複数の小型セルは、同じＩＭクラスタの中でグループ化されてもよく、そして指定された閾値は、セル間結合ロス又は推定されたノード対ノードのパスロスに基づいてもよい。一例において、送受信モジュールは、無線チャネル７５２、有線接続又は光ファイバ接続を介して、Ｘ２シグナリング又はバックホールリンク７５０シグナリングを介して、マクロｅＮＢ７１０及び小型ｅＮＢと通信するように構成されてもよい。
【００７４】
ＵＥ７２０（例えば、無線装置）は、送受信モジュール７２４及び処理モジュール７２２を含んでもよい。ＵＥは、マクロノード及び小型ノードと通信するように構成されてもよく、その通信は、ＭＵＥパケットを含んでもよい。送受信モジュール及び処理モジュールは、ＭＵＥパケットを受信、送信、及び／又は処理するために使用されてもよい。
【００７５】
図１５は、ユーザ装置（ＵＥ）、移動局（ＭＳ）、携帯無線装置、携帯通信装置、タブレット、ハンドセット、又は他の種類の無線装置等の、無線装置のイラストの例を提供している。無線装置は、基地局（ＢＳ）、拡張ノードＢ（ｅＮＢ）、ベースバンドユニット（ＢＢＵ）、遠隔無線ヘッド（ＲＲＨ）、遠隔無線装置（ＲＲＥ）、中継局（ＲＳ）、無線装置（ＲＥ）、又は他の種類の無線広域ネットワーク（ＷＷＡＮ）アクセスポイント等の、ノードと通信するように構成される１つ以上のアンテナを含んでもよい。無線装置は、３ＧＰＰ  ＬＴＥ、ＷｉＭＡＸ、Ｈｉｇｈ  Ｓｐｅｅｄ  Ｐａｃｋｅｔ  Ａｃｃｅｓｓ（ＨＳＰＡ）、Ｂｌｕｅｔｏｏｔｈ（登録商標）、及びＷｉＦｉを含む、１つ以上の無線通信規格を使用して通信するように構成されてもよい。無線装置は、各無線通信規格のための別々のアンテナ又は複数の無線通信規格に対する共用アンテナを使用して通信することができる。無線装置は、無線ローカルエリアネットワーク（ＷＬＡＮ）、無線パーソナルエリアネットワーク（ＰＡＮ）、及び／又はＷＷＡＮにおいて通信することができる。
【００７６】
また、図１５は、無線装置の音声入力及び出力のために使用可能なマイクロホン及び１つ以上のスピーカのイラストを提供している。表示画面は、液晶ディスプレイ（ＬＣＤ）画面、又は有機発光ダイオード（ＯＬＥＤ）ディスプレイ等の他の種類の表示画面であってもよい。表示画面は、タッチスクリーンとして構成されてもよい。タッチスクリーンは、容量性、抵抗性、又は他の種類のタッチスクリーン技術を使用してもよい。アプリケーションプロセッサ及びグラフィックスプロセッサは、処理及び表示機能を提供するために、内部メモリと結合されてもよい。また、不揮発性メモリポートは、データ入出力のオプションをユーザに与えるために使用されてもよい。また、不揮発性メモリポートは、無線装置のメモリ機能を拡張するために使用されてもよい。キーボードは、追加のユーザ入力を提供するために、無線装置と統合されてもよく、或いは無線装置と無線で接続されてもよい。また、タッチスクリーンを使用して、仮想キーボードが提供されてもよい。
【００７７】
各種技術、又はその特定の態様又は部分は、フロッピー（登録商標）ディスク、ＣＤ−ＲＯＭ、ハードドライブ、非一時的なコンピュータ可読記憶媒体、又はその他の任意の機械可読記憶媒体等の、有形の媒体において具現化されるプログラムコード（すなわち、命令）の形式をとることができ、プログラムコードがコンピュータ等の機械にロードされ、かつ実行される場合、その機械は各種技術を実施するための装置となる。非一時的なコンピュータ可読記憶媒体は、信号が含まれていないコンピュータ可読記憶媒体であってもよい。プログラム可能なコンピュータ上でプログラムコードを実行する場合には、コンピューティングデバイスは、プロセッサ、プロセッサによって読み取り可能な記憶媒体（揮発性及び不揮発性メモリ及び／又は記憶要素を含む）、１つ以上の入力装置、及び１つ以上の出力装置を含んでもよい。揮発性及び不揮発性メモリ及び又は記憶要素は、ＲＡＭ、ＥＰＲＯＭ、フラッシュドライブ、光学ドライブ、磁気ハードドライブ、ソリッドステートドライブ、又は電子データを記憶するための他の媒体であってもよい。また、ノード及び無線装置は、送受信モジュール、カウンタモジュール、処理モジュール、及び／又はクロックモジュール又はタイマモジュールを含んでもよい。本明細書に記載される各種技術を実施又は利用する１つ以上のプログラムは、アプリケーションプログラムインターフェース（ＡＰＩ）、再利用可能なコントロールなどを使用することができる。そのようなプログラムは、コンピュータと通信するための、高レベル手続型言語又はオブジェクト指向プログラミング言語において実施することができる。しかしながら、希望する場合には、（複数の）プログラムは、アセンブリ又は機械言語で実施されてもよい。
【００７８】
本明細書に記載される多くの機能ユニットは、それらの実装の独立性を特に強調するために、モジュールとラベル付けされている、ということが理解されるべきである。例えば、モジュールは、カスタムＶＬＳＩ回路又はゲートアレイ、論理チップ、トランジスタ、その他の個別部品等の既製の半導体、を含むハードウェア回路として実装されてもよい。また、モジュールは、フィールドプログラマブルゲートアレイ、プログラマブルアレイロジック、プログラマブルロジックデバイス等のプログラム可能なハードウェア装置内で実装されてもよい。
【００７９】
また、モジュールは、各種プロセッサにより実行されるソフトウェアにおいて実現されてもよい。実行可能コードの識別されたモジュールは、例えば、１つ以上のコンピュータ命令の物理的又は論理的ブロックを含んでもよく、それは、例えば、オブジェクト、手順、又は機能としてまとめられてもよい。それにもかかわらず、識別されたモジュールの実行ファイルは、物理的に一緒に配置する必要はないが、論理的に結合された場合にモジュールを構成し、かつモジュールの説明された目的を達成する、異なる場所に格納された異種の命令を含んでもよい。
【００８０】
実際には、実行可能なコードのためのモジュールは、単一の命令又は多くの命令であってもよく、さらには、異なるプログラムの間で、及びいくつかのメモリデバイスにわたって、いくつかの異なるコードセグメントに分散されてもよい。同様に、本明細書において、動作データは、複数のモジュール内で特定され、かつ説明されてもよく、そして任意の適切な形式において具現化されてもよく、かつ任意の適切な種別のデータ構造内でまとめられてもよい。動作データは、単一のデータセットとして集められてもよく、又は異なる複数の記憶装置を含む、異なる複数の場所に分散されてもよく、かつ少なくとも部分的に、システム又はネットワークの複数の電子信号として存在してもよい。モジュールは、所望の機能を実行するために動作可能なエージェントを含めて、受動的又は能動的であってもよい。
【００８１】
本明細書を通して、「一例」についての言及は、その例に関連して説明される特定の特徴、構造、又は特性が、本発明の少なくとも１つの実施例に含まれることを意味する。従って、本明細書の全体を通しての、様々な場所における「一例において」という語句の出現は、必ずしも全て同じ実施例を参照するものではない。
【００８２】
本明細書で使用される複数の項目、構造要素、組成要素、及び／又は材料は、便宜上共通のリストの中で提示されてもよい。しかしながら、これらのリストは、リストの各要素が別個かつ固有の要素として個別に識別されているかのように解釈されるべきである。従って、そのようなリストの要素は、単に、その反対であることを示すことなしに、それらが共通のグループに示されているということに基づいて、同じリストの他の要素のいずれかの事実上の均等物であると解釈されるべきではない。また、本発明の各種実施例及び例は、その各種要素の代替物と共に、本明細書において参照されてもよい。そのような複数の実施例、例、及び代替物は、互いに事実上の均等物であるとして解釈されるべきではなく、本発明の別個かつ自発的な表現であると見なされるべきである、ということが理解される。
【００８３】
さらに、記載された特徴、構造、又は特性は、１つ以上の実施例において、任意の適切な方法で組み合わせることができる。以下の説明において、本発明の複数の実施例の完全な理解を与えるために、レイアウトの例、距離、ネットワークの例などの、多数の特定の詳細が提供される。しかしながら、１つ以上の特定の詳細なしで、又は他の方法、要素、レイアウト等と共に、本発明を実施することができる、ということを、当業者は認識するであろう。他の例において、周知の構造、材料、又は動作は、本発明の態様を不明瞭にしないために、詳細には示されず、説明もされない。
【００８４】
前述の例は、１つ以上の特定の応用における、本発明の原理の例示であるが、発明力を行使することなく、かつ本発明の原理及び概念から逸脱することなく、形態、使用、及び実装の詳細における多数の変更を行うことができる、ということは当業者にとって明らかであろう。従って、以下に記載される特許請求項によるものを除いて、本発明を限定することを意図するものではない。
【図１】
0005976926.tif 000003
【図２】
0005976926.tif 000004
【図３】
0005976926.tif 000005
【図４】
0005976926.tif 000006
【図５】
0005976926.tif 000007
【図６】
0005976926.tif 000008
【図７】
0005976926.tif 000009
【図８】
0005976926.tif 000010
【図９】
0005976926.tif 000011
【図１０】
0005976926.tif 000012
【図１１】
0005976926.tif 000013
【図１２】
0005976926.tif 000014
【図１３】
0005976926.tif 000015
【図１４】
0005976926.tif 000016
【図１５】
0005976926.tif 000017